(57)【特許請求の範囲】
【請求項１】
火災感知器、中継器、発信機または被制御機器等の複数の端末装置を火災受信機または中継器等の受信部がポーリングすることによって、上記端末装置から端末情報を読み込み、判別し、表示し、または上記端末装置を制御する防災設備において、
上記受信部は、
上記端末装置に伝送すべきアドレスコードと命令コードとにおけるアクティブビット数を、上記各コード毎にカウントする第１のアクティブビット数カウント手段と；
上記第１のアクティブビット数カウント手段によってカウントされたアクティブビット数を加算してアクティブビット数の加算値を得る第１のアクティブビット数加算手段と；
上記第１のアクティブビット数加算手段によって得られたアクティブビット数の加算値を反転させて反転値を得る第１の反転手段と；
上記第１の反転手段によって反転された反転値の最上位ビットを削除した１次加算コードを作成する１次加算コード作成手段と；
上記アドレスコードと上記命令コードと上記１次加算コードとを送出する第１の送出手段と；
を有し、
上記端末装置は、
上記受信部から受信した上記アドレスコードと上記命令コードとにおけるアクティブビット数を、上記各コード毎にカウントする第２のアクティブビット数カウント手段と；
上記第２のアクティブビット数カウント手段によってカウントされたアクティブビット数を加算したアクティブビット数の加算値を得る第２のアクティブビット数加算手段と；
上記第２のアクティブビット数加算手段によって得られた加算値を反転させた反転値を得る第２の反転手段と；
上記第２の反転手段によって反転された反転値の最上位ビットを削除した第１加算コードを作成する第１加算コード作成手段と；
上記第１加算コードと、上記受信部から受信した上記１次加算コードとが一致していることを判別する第１の判別手段と；
上記第１加算コードと上記１次加算コードとが一致したときに、上記受信部に返送する返送データと、上記受信部から受信した上記アドレスコードと、上記命令コードとのアクティブビット数を、各コード毎にカウントする第３のアクティブビット数カウント手段と；
上記第３のアクティブビット数カウント手段によってカウントされたアクティブビット数を加算した加算値を得る第３のアクティブビット数加算手段と；
上記第３のアクティブビット数加算手段によって得られた加算値を反転させ反転値を得る第３の反転手段と；
上記第３の反転手段による反転値の最上位ビットを削除した２次加算コードを作成する２次加算コード作成手段と；
上記返送データと上記２次加算コードとを受信部に送出する第２の送出手段と；
を有し、
さらに、上記受信部は、
上記端末装置から受信した上記返送データと、上記端末装置に伝送すべき上記アドレスコードと、上記命令コードとの各アクティブビット数を、各コード毎にカウントする第４のアクティブビット数カウント手段と；
上記第４のアクティブビット数カウント手段によってカウントされた上記各アクティブビット数を加算した加算値を得る第４のアクティブビット数の加算手段と；
上記第４のアクティブビット数の加算手段によって得られた加算値を反転して反転値を得る第４の反転手段と；
上記第４の反転手段によって得られた反転値の最上位ビットを削除し、第２加算コードを作成する第２加算コード作成手段と；
上記第２加算コードと、上記端末装置から受信した上記２次加算コードとが一致しているか否かを判別する第２の判別手段と；
を有することを特徴とする防災設備。
【請求項２】
請求項１において、
上記第３のアクティブビット数カウント手段は、上記１次加算コードのアクティブビット数をもカウントする手段であり、また、上記第４のアクティブビット数カウント手段は、上記１次加算コードのアクティブビット数をもカウントする手段であることを特徴とする防災設備。
【請求項３】
火災感知器、中継器、発信機または被制御機器を含む複数の端末装置と、火災受信機または中継器等の受信部とが信号線を介して結ばれ、上記端末装置を上記受信部がポーリングすることによって、上記端末装置から所定の端末情報を読み込み、判別し、表示し、または上記端末装置を制御する防災設備において、
上記受信部と上記信号線との接続部に設けられている第１の信号反転手段と；
上記端末装置と上記信号線との接続部に設けられている第２の信号反転手段と；
を有し、
上記受信部は、上記端末装置に伝送すべきアドレスコードと命令コードとを加算して１次加算コードを作成する１次加算コード作成手段と、上記アドレスコードと上記命令コードと上記１次加算コードとを送出する第１の送出手段とを有し、
上記端末装置は、上記受信部から受信した上記アドレスコードと上記命令コードとを加算して第１加算コードを作成する第１加算コード作成手段と、上記第１加算コードと、上記受信部から受信した上記１次加算コードとが一致していることを判別する第１判別手段と、上記第１加算コードと上記１次加算コードとが一致したときに、上記受信部に返送する返送データと上記受信部から受信したアドレスコードと命令コードと１次加算コードとを加算して２次加算コードを作成する２次加算コード作成手段と、上記返送データと上記２次加算コードとを受信部に送出する第２送出手段とを有し、
さらに、上記受信部は、上記端末装置から受信した上記返送データと上記端末装置に伝送すべきアドレスコードと上記命令コードと上記１次加算コードとを加算して第２加算コードを作成する第２加算コード作成手段と、上記第２加算コードと上記端末装置から受信した上記２次加算コードとが一致しているか否かを判別する第２判別手段とを有することを特徴とする防災設備。
【請求項４】
火災感知器、中継器、発信機または被制御機器を含む複数の端末装置と、火災受信機または中継器等の受信部とが信号線を介して結ばれ、上記端末装置を上記受信部がポーリングすることによって、上記端末装置から所定の端末情報を読み込み、判別し、表示し、または上記端末装置を制御する防災設備において、
上記受信部と上記信号線との接続部に設けられている第１の信号反転手段と；
上記端末装置と上記信号線との接続部に設けられている第２の信号反転手段と；
を有し、
上記受信部は、上記端末装置に伝送すべきアドレスコードと命令コードとを加算して１次加算コードを作成する１次加算コード作成手段と、上記アドレスコードと上記命令コードと上記１次加算コードとを送出する第１の送出手段とを有し、
上記端末装置は、上記受信部から受信した上記アドレスコードと上記命令コードとを加算して第１加算コードを作成する第１加算コード作成手段と、上記第１加算コードと、上記受信部から受信した上記１次加算コードとが一致していることを判別する第１判別手段と、上記第１加算コードと上記１次加算コードとが一致したときに、上記受信部に返送する返送データと上記受信部から受信したアドレスコードと命令コードとを加算して２次加算コードを作成する２次加算コード作成手段と、上記返送データと上記２次加算コードとを受信部に送出する第２送出手段とを有し、
さらに、上記受信部は、上記端末装置から受信した上記返送データと上記端末装置に伝送すべきアドレスコードと上記命令コードとを加算して第２加算コードを作成する第２加算コード作成手段と、上記第２加算コードと上記端末装置から受信した上記２次加算コードとが一致しているか否かを判別する第２判別手段とを有することを特徴とする防災設備。
【発明の詳細な説明】
【０００１】
【発明の属する技術分野】
本発明は、防災設備に関するものである。
【０００２】
【従来の技術】
従来、火災感知器、中継器、発信機または被制御機器等の複数の端末装置が火災受信機に接続される防災設備において、各端末装置にアドレスを割付け、火災受信機側から、上記アドレスに基づいて端末装置を順次呼び出し、呼び出された端末装置だけが、その端末装置に関する個別情報（火災感知信号等）を上記火災受信機へ送出するポーリング方式が用いられている。そして、複数の警報線にそれぞれ複数個接続された多数の端末装置を、火災受信機に内蔵するデータ処理装置を使用して、上記火災受信機が順次呼出し、各端末装置からの火災発生等の情報を収集する。
【０００３】
したがって、このようなポーリング方式を用いると、各端末装置は、呼び出しを受けるまで、上記火災受信機に情報を送出することができない。この呼び出しを受ける周期は、線路に接続されている端末装置数の増加に応じて長くなる。このために、端末装置で情報が生成されてから所定の時間内に上記火災受信機に情報を伝送しなければならない端末装置が存在すると、線路に接続できる端末装置数に限界が生じる。
【０００４】
このように速やかな伝送が要求される端末装置としては、特に、発信機が存在する。発信機を使用して火災を通報しようとする場合、発信機に設けられている押しボタン等を通報者が操作し、これによって、作動信号が当該発信機から火災受信機に送信され、火災受信機が作動信号を受信したことを示す応答信号が火災受信機から当該発信機に送信され、その応答信号を当該発信機が受信すると、当該発信機から火災通報された旨を、当該発信機に設けられている応答ランプの点灯等によって表示する。
【０００５】
上記の場合、発信機を操作後、当該発信機における応答ランプが点灯されるまでには、最悪の場合、ポーリングの一周期の時間を必要とすることもある。このように、発信機を操作してから応答ランプが点灯されるまでの待ち時間が長いと、当該通報者が奇異を感ずることもあり、この待ち時間を短くするために、一系統の線路に接続する端末装置の総数が相当制限される。
【０００６】
この制限を緩和するために、火災受信機から伸びた線路に接続された複数の端末装置を順次呼び出し、各端末装置独自の個別情報を収集するようにし、発信機の作動に基づいて、発信機を有する端末装置に共通な特定情報を、個別情報に優先して火災受信機に伝達させ、また、当該火災受信機がその特定情報を受信すると、当該発信機を有する端末装置を他の端末装置に優先して呼び出し、作動した発信機を特定するようにしている。
【０００７】
【発明が解決しようとする課題】
しかし、上記従来例においては、発信機を有する端末装置から火災受信機が上記特定情報を受信すると、発信機を有する端末装置を火災受信機が順次呼び出し、発信機の作動した端末装置を特定するので、発信機を有する端末装置が多数接続されている場合には、発信機が作動した端末装置を特定するまでの時間、また、発信機を操作後、火災受信機から火災通報が伝送された旨の表示が当該発信機で行われるまでの時間がやはり長いという問題がある。
【０００８】
そこで、発信機を有する端末装置から火災受信機が上記特定情報を受信すると、火災受信機が発信機を有する端末装置を順次呼び出すのではなく、発信機を有する端末装置を一斉に呼び出し、この呼び出しに応じて、作動した発信機を有する端末装置が応答すれば、発信機を操作した後、火災受信機から火災通報が伝送された旨の表示が当該発信機で行われるまでの時間が短くなる。
【０００９】
しかし、このようにした場合、複数の発信機が同時期に作動すると、それら複数の発信機を有する複数の端末装置が同時に応答するので、信号が衝突し、発信機を有する端末装置を、火災受信機が正しく特定することができないという新たな問題が生じる。
【００１０】
本発明は、上記発信機を有する端末装置が多数接続され、発信機が作動した端末装置を一斉に呼び出した場合、上記端末装置からの返送信号が衝突せずに、発信機が作動した端末装置を特定することができる防災設備を提供することを目的とするものである。
【００１１】
また、上記従来のポーリング方式を用いると、多数の端末装置からの情報をたとえば５秒以内で取り込むためには、警報線上を伝送するデータの伝送スピードを上げる必要があり、そのためには、ビット数の多い伝送路を用いなければならず、経済的ではない。
【００１２】
これを解決するためには、上記複数の端末装置をグループに分割し、各グループを呼び出す信号間にアイドリング期間を設け、このアイドリング期間中に、各グループを識別できる割込み信号を、端末装置が火災受信機に送出し、火災受信機は上記割込み信号を受けると、上記割込信号を送出した上記グループに属する端末装置を優先して順次呼び出すような装置が提案されている。
【００１３】
しかし、このようなポーリング方式では、異常を検出した端末装置が属するグループを識別できる割込信号（たとえばグループ番号）を、上記アイドリング期間中に火災受信機に送出し、その後順次当該グループの端末装置を呼び出すので、１つのグループに属する端末装置が多いと、異常を検出した端末装置を検出するまでの時間が長いという問題がある。
【００１４】
本発明は、１つのグループに属する端末装置が多数である場合に、異常を検出した端末装置を迅速に検出することができる防災設備を提供することを目的とするものである。
【００１５】
火災感知器、火災センサ、防排煙機器、消火機器、防盗検知器、または、これらが接続される中継器等の端末装置を火災受信機がポーリングし、この呼出された端末装置が監視情報を火災受信機に送り、この火災受信機が上記監視情報を収集する防災設備が知られている。そして、この防災設備は、火災受信機が呼出した端末装置に対して制御情報を送出するものである。
【００１６】
ところで、この種の防災設備では、火災受信機と端末装置との間で伝送ミスが発生することがあり、たとえば、火災が発生していない地区を火災発生地区と誤って判断したり、または、端末装置が制御命令と誤って判断し、防排煙機器や消火機器を動作させてしまうことがある。
【００１７】
上記のような火災受信機と端末装置との間における伝送ミスを防止するために、上記従来装置においては、火災受信機が、アドレスコードと命令コードとを火災受信機が加算して１次加算コードを作成し、この作成された１次加算コードを端末装置に送出し、端末装置では、火災受信機から受信したアドレスコードと命令コードとを加算して第１加算コードを作成し、この作成された第１加算コードが、受信した１次加算コードと同じであれば、火災受信機から受信した信号が正常であると端末装置が認識する。一方、端末装置が、返送データとアドレスコードと命令コードと１次加算コードとを加算して２次加算コードを作成し、この作成された２次加算コードと返送データとアドレスコードと命令コードとを火災受信機に送出し、火災受信機では、端末装置から受信した返送データとアドレスコードと命令コードと、火災受信機が作成した１次加算コードとを加算して第２加算コードを作成し、この第２加算コードが、受信した２次加算コードと同じであれば、火災受信機から送出したアドレスコードと命令コードとを端末装置が正常に受信したことを認識する。
【００１８】
また、上記従来例においては、端末装置が信号送受信回路（並直列変換回路を含む回路）を有し、この信号送受信回路にアクティブビットが入力されると、伝送路上でロー信号となるように変換されて出力され、逆に、信号送受信回路に非アクティブビットが入力されると、伝送路上でハイ信号となるように変換されて出力される。また、伝送路上でロー信号とハイ信号とが衝突した場合には、ハイ信号になるとする。
【００１９】
一方、火災受信機が伝送路からロー信号を受信すると、この受信されたロー信号は、火災受信機が有する信号送受信回路（並直列変換回路を含む）によってアクティブビットに変換され、他方、火災受信機が伝送路からハイ信号を受信すると、この受信されたハイ信号は、火災受信機が有する信号送受信回路によって非アクティブビットに変換される。したがって、上記のように伝送路上でロー信号とハイ信号とが衝突することによって、火災受信機には、ハイ信号が受信され、火災受信機が有する信号送受信回路によって非アクティブビットに変換され、火災受信機の内部に取り込まれる。
【００２０】
したがって、上記従来例において、火災感知器等の複数の端末装置がアクティブビットと非アクティブビットとを伝送路に同時に送出すると、火災受信機は、非アクティブビットを取り込む。
【００２１】
ところで、上記従来方法では、たとえば、防災設備において、互いに異なる２つの火災感知器に同一のアドレスが誤って付与され、そのうちの一方の火災感知器が返送データとして火災情報を送出し、同一のアドレスが付与された２つの火災感知器のうちの他方の火災感知器が通常である旨を示す情報（非火災情報）を送出した場合、上記火災情報が火災受信機に伝送上到達しない場合があり、また、２次加算コードが第２加算コードと一致し、しかも、互いに異なる２つの火災感知器に同一のアドレスが誤って付与されているという伝送異常の状態が検出されない場合もある。
【００２２】
たとえば、アドレスＡＤ、コマンドＣＭ１、ＣＭ２がそれぞれ１６進数でＦＦｈ、０１ｈ、００ｈで示される（すなわち、８ビットの２進数で表示するとそれぞれ１１１１１１１１、０００００００１、００００００００である。また、以下、１６進数は符後の末尾にｈを付けて表すものとする。）とし、同一のアドレスが付与されている２つの火災感知器のうちの１つの火災感知器が火災情報を示す返送データＤ１として０１ｈ（８ビットの２進数で表示すると０００００００１）、同一のアドレスが付与された２つの火災感知器のうちの他方の火災感知器が、通常である旨を示す返送データＤ２として００ｈ（８ビットの２進数で表示すると００００００００）を送出したとする。
【００２３】
この場合、１次加算コードＰＳは、上記演算によって００ｈになる。また、火災情報を示す返送データＤ１に対する２次加算コードＳＳ１は、上記演算によって、０１ｈになり、通常である旨を示す返送データＤ２に対する２次加算コードＳＳ２は、上述の演算によって００ｈとなる。しかし、２つの端末装置に付与されているアドレスが同一であるので、返送データＤ１とＤ２との返送タイミングが同時であり、また、２次加算コードＳＳ１とＳＳ２との返送タイミングが同時になる。
【００２４】
したがって、信号線Ｌ上で返送データＤ１とＤ２とが重複（衝突）し、また同様に信号線上で２次加算コードＳＳ１とＳＳ２とが重複する。ここで、０１ｈと００ｈが重複（衝突）すると００ｈになる。なぜならば、伝送上ビット０がハイであり、ビット１がロウであって、どちらか一方がハイの場合には伝送上ハイとなる伝送方式を採用している場合には、これら０１ｈと００ｈとを８ビットの２進数で表示すると、それぞれ０００００００１と００００００００になるが、ビット「０」とビット「１」が重複すると、ビット「０」となってしまうからである。
【００２５】
したがって、伝送上のみかけの返送データと２次加算コードとは、ともに００ｈが送出されたかのようになる。このような信号を火災受信機が受信した場合には、みかけの返送データとして００ｈを用いて、上述の演算によって、第２加算コードは、００ｈとなり、みかけの２次加算コードと一致してしまい、火災情報が火災受信機に伝送されないという問題があり、また、伝送の異常も検出されないという問題がある。
【００２６】
本発明は、防災設備において、互いに同一のアドレスが複数の端末装置に付与されていた場合に、火災情報が発生すると、火災情報を火災受信機に確実に伝送することができ、また、伝送異常を確実に検出することができる防災設備を提供することを目的とする。
【００２７】
従来のポーリング方式において、端末装置またはその端末装置を含むグループにおいて伝送異常が発生したことを火災受信機が検出した場合、他の端末装置またはその端末装置を含むグループに対するポーリングを中断し、当該端末装置または当該端末装置を含むグループに対して再度ポーリングを実施し、伝送異常を連続して検出した場合に、真に伝送異常が発生したと受信部が認識し、その旨を受信部等に表示する。
【００２８】
しかし、上記従来例においては、伝送異常検出時に再度ポーリングを実施するので、ポーリングを再度実施する時間だけ、その他の端末装置またはその端末装置を含むグループから状態情報等を収集するタイミングが遅れ、防災設備に属する端末装置に対して行うポーリングの全体の所要時間が増大するという問題がある。
【００２９】
本発明は、伝送異常による誤警報を防止し、伝送異常を確実に表示することができ防災設備において、伝送異常が発生した場合、防災設備に属する端末装置に対して行うポーリングの全体の所要時間が増大することを阻止することができる防災設備を提供することを目的とするものである。
【００３０】
【課題を解決するための手段】
請求項１、２に記載の発明は、火災受信機または中継器等の受信部は、端末装置に伝送すべきアドレスコードと命令コードとに基づいて１次加算コードを作成し、アドレスコードと命令コードと１次加算コードとを送出し、端末装置は、受信部から受信したアドレスコードと命令コードとに基づいて作成した第１加算コードと、受信部から受信した１次加算コードとを比較し、返送データとアドレスコードと命令コードとに基づいて作成した２次加算コードと返送データとを受信部に送出し、受信部は、端末装置から受信した返送データとアドレスコードと命令コードとに基づいて作成した第２加算コードと端末装置から受信した２次加算コードとを比較する防災設備である。
【００３１】
請求項３〜５記載の発明は、火災感知器、中継器、発信機または被制御機器を含む複数の端末装置と、火災受信機または中継器等の受信部とが信号線を介して結ばれ、端末装置を受信部がポーリングすることによって、端末装置から所定の端末情報を読み込み、判別し、表示し、または端末装置を制御する防災設備において、受信部と信号線との接続部に設けられている第１の信号反転手段と、端末装置と信号線との接続部に設けられている第２の信号反転手段とを有する防災設備である。
【００３２】
【発明の実施の形態および実施例】
図１は、本発明の一実施例である防災設備１００を示す系統図である。
【００３３】
防災設備１００は、火災受信機ＲＥと、電源線を兼ねる１対の信号線Ｌと、各種端末装置とを有し、１対の信号線Ｌを介して、火災受信機ＲＥに、各種端末装置が接続されている。
【００３４】
防災設備１００における各種端末装置は、アナログ式火災感知器Ｓと、発信機Ｐと、中継器ＲＰ等で構成され、複数台、たとえば２５５台の端末装置が火災受信機ＲＥに接続されている。アナログ式火災感知器Ｓは、煙、熱、炎の光、ガスまたは臭い等の火災現象を検出し、その物理量信号を出力する火災感知器であり、光電式、減光式、イオン化式等の煙式、熱式、炎式、ガス式、臭い式等の火災感知器である。なお、所定レベルの火災現象を検出したときに火災信号を出力するオンオフ式火災感知器Ｆ、防火戸Ｄ、地区ベルＢ、ガス漏れ検出器Ｇ等が、中継器ＲＰを介して信号線Ｌに接続されている。
【００３５】
ここで、上記各端末装置には、火災受信機ＲＥに近い側から、端末装置毎に、順次、２桁の１６進数によって定められるアドレスが付与されている。すなわち、各端末装置には、火災受信機ＲＥに近い側から、００ｈ、０１ｈ、０２ｈ、……、ＦＥｈのようなアドレスが付与されている。ただし、以下の説明では、便宜上、上記アドレスを主に、１０進数によって表示する。
【００３６】
アドレス００ｈ〜ＦＥｈが付与されている端末装置は、火災受信機ＲＥに近い側から順に、１６個のグループＧ０〜Ｇ１５に分けられ、また、図１に示すように、グループＧ０〜Ｇ１４にはそれぞれ１６台の各種端末装置が属し、グループＧ１５には１５台の各種端末装置が属している。ところで、２５５台の端末装置のそれぞれには、００ｈ〜ＦＥｈの８ビットで構成されている互いに異なる固有のアドレスが１個づつ与えられている。
【００３７】
図２は、上記実施例における端末装置のアドレスを８ビット構成のコードで示す図であり、図２（１）、（２）は、それぞれ、１０進数の１０番目、２５５番目の端末装置のアドレスを、８ビットの２進数コードで示す図である。
【００３８】
各端末装置の個々の２進数コードのアドレスは、図２に示されるように、上位４ビット（以下、「上位桁」という）と、下位４ビット（以下、「下位桁」という）とに分けられ、上位桁によって０からはじまるグループ番号を表し、下位桁によって０からはじまるグループ内の端末装置番号を表わしている。すなわち、１０番目（１０進数）の端末装置に着目すると、その２進数アドレスが「００００１００１」であり、そのアドレスコードの上位桁が「００００」である（０ｈ）ので、その端末装置は第０グループに属し、その下位桁が「１００１」である（９ｈ）ので、そのグループ内における端末装置番号が９に対応する１０番目の端末装置であることを示し、これら上位桁と下位桁とを組み合わせた「０Ａｈ」が、防災設備１００の全体からみた端末装置の順番が１０番であることを示している。
【００３９】
また、端末装置番号が２５４に対応する２５５番目（１０進数）の端末装置に着目すると、その２進数アドレスが「１１１１１１１０」であり、そのアドレスコードの上位桁が「１１１１」である（Ｆｈ）ので、その端末装置は第１５グループに属し、その下位桁が「１１１０」である（Ｅｈ）ので、そのグループ内における１５番目の端末装置であることを示し、これら上位桁と下位桁とを組み合わせた「ＦＥｈ」が、防災設備１００の全体からみた端末装置の順番が２５５番であることを示している。
【００４０】
すなわち、上記実施例では、８ビットのコード全体で、防災設備１００の全体からみたアドレスを示し、さらに、８ビットのコードの上位桁によってグループ番号を示し、その下位桁によってグループ内における端末装置番号（以下、「グループ内端末装置番号」という）を示している。
【００４１】
上記のように、複数の端末装置のそれぞれに、複数の桁数で表示されるアドレスを付与し、アドレス中の特定の桁によってグループ番号を表しているので、「ポイント・ポーリング」の「グループ情報収集フレーム」においては、グループ番号が共通する複数の端末装置を、ポーリング時に同時に呼び出すことができる。また、呼び出されたグループ番号を有する複数の端末装置のそれぞれは、グループ内端末装置番号が互いに異なることを利用して、各端末装置毎に、応答タイミングを割り当てることができる。
【００４２】
火災受信機ＲＥは、上記各端末装置に対して、後述のポイント・ポーリング、システムポーリング、セレクティングの各モードに従ってポーリングを行い、所定の端末装置から所定情報を収集したり、所定端末装置を制御する。
【００４３】
なお、以下、「ポーリング」とは、ポイント・ポーリングまたはシステムポーリングを指し、セレクティングを除くものとする。
【００４４】
図３は、上記実施例の動作を示すタイムチャートである。
【００４５】
図３に示す「ポイント・ポーリング」は、「グループ情報収集フレーム」と「発信機検出フレーム」とで構成されている。
【００４６】
「グループ情報収集フレーム」は、各端末装置を１つ１つ順次ポーリングするのではなく、２５５台の端末装置をたとえば１６個のグループにグループ化し、その各グループ毎に、火災受信機ＲＥが呼出すフレームである。呼出されたグループに属する各端末装置は、各端末装置毎に割り当てられた応答タイミング時に、状態情報または種別情報ＩＤ等の要求されたデータを順次、火災受信機ＲＥに返送する。
【００４７】
つまり、上記実施例は、火災感知器、中継器、発信機または被制御機器等の複数の端末装置が受信部に接続されている防災設備において、複数の端末装置が複数のグループに分けられ、受信部がグループ毎にポーリングを行い、複数のグループのうちの所定のグループへのポーリング信号発信と、上記所定のグループの次のグループへのポーリング信号発信との間に、上記所定のグループに属する複数の端末装置からの情報を、時分割で受信部が受信する防災設備である。
【００４８】
上記実施例によれば、１つのグループに属する端末装置が多数である場合に、異常を検出した端末装置を迅速に検出することができる。
【００４９】
なお、上記時分割に使用するタイムスロットが複数設けられている場合、図２３で後述するように、所定のグループへのポーリング信号発信と、所定のグループの次のグループへのポーリング信号発信との間におけるタイムスロットの開始時刻が遅い程、上記タイムスロットの幅が広くなるように設定されている。
【００５０】
ここで、「状態情報」とは、端末装置がアナログ式火災感知器である場合は、検出した火災現象の物理量データであり、端末装置が中継器ＲＰである場合は、オンオフ式火災感知器Ｆやガス漏れ検出器Ｇが接続されているときに、火災信号やガス漏れ信号の有無を示すデータであり、防火戸Ｄや地区ベルＢ等の被制御機器が接続されているときに、これらの機器の開閉状態や動作中か否かを示すデータであり、鳴動中か否かを示すデータであり、端末装置が発信機である場合は、押しボタンスイッチが押されて作動中か否かを示すデータである。
【００５１】
そして、ポイント・ポーリングを構成する「グループ情報収集フレーム」において収集される所定情報を、「グループ情報」という。
【００５２】
ポイント・ポーリングを構成する「発信機検出フレーム」は、発信機Ｐが人為的に操作されるものであり、発信機Ｐの作動情報は信頼性が高いので、速やかに作動情報を収集するために設けられたフレームである。したがって、発信機検出フレームは、図３に示すように、１つのグループに対して「グループ情報収集フレーム」が１回実行される毎に、防災設備１００に属する全ての発信機に対して同時に呼び出しを行い、発報中の発信機があれば、その発報中の発信機は、当該呼び出しに対し、発信機毎に指定されているタイムスロットのうちで発報中の発信機に指定されているタイムスロットに、自分のアドレスを火災受信機ＲＥに対して返送する。
【００５３】
「発報発信機アドレス情報」は、「発信機検出フレーム」において収集されるアドレスである。上記実施例では、発信機Ｐが複数発報した場合、アドレスの大きい発信機が送信を停止し、アドレスが最も小さい１つの発信機のみが返送するようにしている。この詳細については、後述する。
【００５４】
「システムポーリング」は、火災受信機ＲＥが端末装置に対して所定の制御命令を送信し、全ての端末装置を制御するものである。ここで、システムポーリング時に、火災受信機ＲＥが複数の端末装置に対して行う制御命令は、たとえば、火災復旧命令（火災信号を送出したアナログ式火災感知器Ｓや中継器ＲＰ等の端末装置、地区ベルＢを鳴動させている中継器ＲＰ等の端末装置等を正常な監視状態に復旧させる命令）、蓄積復旧命令（所定時間、火災状態が継続しているか否かを判別する蓄積動作を行うために、火災信号を送出した火災感知器や中継器等の端末装置を復旧させる命令）、地区音響停止命令（鳴動中の地区ベルＢを停止させる命令）である。
【００５５】
また、「セレクティング」は、所望の端末装置に対応するアドレスを指定して所定制御命令を送信し、当該端末装置を制御したり、また、任意の端末装置に状態情報等の要求命令を所望の端末装置に送信し、個々の端末装置から状態情報等を収集する動作である。
【００５６】
図３の左上から右上に向かって動作が進み、その右端からは、１つ下の段の左端に動作が進み、上記のようにして順次、処理が進む。また、図３中、横線の上の信号は、火災受信機ＲＥから送信される信号であり、その横線の下の信号は、端末装置から送信される信号である。
【００５７】
まず、火災受信機ＲＥから端末装置へ送出されるアドレスＡＤ、コマンドＣＭ１、ＣＭ２、一次サムチェックコードＰＳの各コードと、端末装置から火災受信機ＲＥへ送出される返送データＤ１、ニ次サムチェックコードＳＳ、自己のアドレスＤＡ、返送データＤａの各コードとについて説明をする。
【００５８】
ここで、上記各コードＡＤ、ＣＭ１、ＣＭ２、ＰＳ、Ｄ１、ＳＳ、ＤＡ、Ｄａのそれぞれは、たとえばスタートビットＳＢ（図２においては、スタートビットをＭＳＢで示してある）、８ビットのデータ領域、ストップビットＥＢ（図２においては、ストップビットをＬＳＢで示してある）の計１０ビットで構成される。したがって、これらが、伝送上、火災受信機ＲＥから端末装置へ、または、端末装置から火災受信機ＲＥへ送出される場合、１０ビットで表される２進数として、上位の桁から順次、１ビットづつ送出される。なお、以下の説明において、コードＡＤ、ＣＭ１、ＣＭ２、ＰＳ、Ｄ１、ＤＡ、Ｄａ、ＳＳの内容を示す８ビットのデータ領域を、説明の便宜上、２桁の１６進数で表す。
【００５９】
まず、火災受信機ＲＥから、端末装置に対して、アドレスＡＤ、コマンドＣＭ１、ＣＭ２、一次サムチェックコードＰＳが送出される。ここで、アドレスＡＤは、００ｈからＦＦｈまでの２桁の１６進数であり、アドレスＡＤが００ｈからＦＥｈまでである場合（すなわちＡＤ≠ＦＦｈである場合）、セレクティングにおいて動作すべき防災設備１００に設けられた端末装置のアドレス（以下、「セレクティングアドレスコード」という。）を示し、また、アドレスＡＤがＦＦｈである場合、ポイント・ポーリングまたはシステムポーリングである旨（以下、ポーリング命令という）を示す。
【００６０】
コマンドＣＭ１も、２桁の１６進数であり、セレクティングを行う場合（すなわちＡＤ≠ＦＦｈである場合）、その内容を示し、たとえば、コマンドＣＭ１が８２ｈであれば、火災試験命令であることを示し、８３ｈであれば、火災感知器の確認灯を消灯させるための確認灯消灯制御命令等についてのセレクティングであることを示す。
【００６１】
また、ポーリング命令（ＡＤ＝ＦＦｈ）が行われている場合、コマンドＣＭ１は、行われるべきポーリングの種類を示す。すなわち、コマンドＣＭ１が、０Ｘｈである場合には、ポイント処理を行う旨（ポイント処理命令）を示し、ＦＸｈである場合、システム処理を行う旨（システム処理命令）を示す。
【００６２】
ここで、Ｘは、０ｈからＦｈまでの１６進数であり、この場合、そのポーリングの内容を示す。たとえば、コマンドＣＭ１が００ｈである場合、ポイント・ポーリングであって、種別情報ＩＤ返送命令を示し、コマンドＣＭ１が０１ｈである場合、ポイント・ポーリングであって、状態情報返送命令を示し、コマンドＣＭ１がＦ０ｈである場合、システムポーリングであって、火災復旧命令を示し、コマンドＣＭ１がＦ１ｈである場合、システムポーリングであって、蓄積復旧命令を示し、コマンドＣＭ１がＦ２ｈである場合、システムポーリングであって、地区音響停止命令を示し、コマンドＣＭ１がＦ３ｈである場合、システムポーリングであって、非常放送停止命令を示す。
【００６３】
コマンドＣＭ２も、２桁の１６進数であるが、セレクティングとシステムポーリングとの場合には、使用されない。
【００６４】
また、ポイント・ポーリングである場合、コマンドＣＭ２の下位桁によって、当該ポーリングにおいて所定の情報を返送すべきグループ（ポイント・ポーリングにおけるグループ指定コード）を示す。たとえば、コマンドＣＭ２は、０Ｘｈで表される。ここで、Ｘは、０ｈからＦｈまでの１６進数であり、所定の情報を返送すべきグループ番号を示す。
【００６５】
さらに、一次サムチェックコードＰＳは、火災受信機ＲＥからの伝送が正常に行われたか否かを端末装置が確認するために用いられるコードであり、コードＡＤ、ＣＭ１、ＣＭ２に基づいて所定の演算によって得られ、これについては後述する。
【００６６】
他方、ポイント・ポーリングの場合、状態情報または種別情報ＩＤとして返送データＤ１が各端末装置から火災受信機ＲＥに送出され、ニ次サムチェックコードとしてニ次サムチェックコードＳＳが各端末装置から火災受信機ＲＥに送出される。
【００６７】
また、セレクティングである場合、自己のアドレスＤＡ、返送データＤａが火災受信機ＲＥに送出され、ニ次サムチェックコードＳＳが火災受信機ＲＥに送出される。なお、システムポーリングである場合、端末装置は何も返送しない。なお、返送データＤａは、端末装置の状態情報、種別情報ＩＤまたは火災復旧命令等の制御命令を受信した場合、制御命令通りに作動した旨を示す情報である。
【００６８】
また、ニ次サムチェックコードＳＳは、端末装置からの伝送が正常に行われたか否かを火災受信機ＲＥが確認するために用いられるコードであり、ポイント・ポーリングである場合、上記ＡＤ、ＣＭ１、ＣＭ２、ＰＳ、Ｄ１から所定演算によって得られ、また、セレクティングの場合、上記ＡＤ、ＣＭ１、ＣＭ２、ＰＳ、ＤＡ、Ｄａから所定演算によって得られ、この所定演算について後述する。
【００６９】
次に、上記実施例の動作を、図３に基づいて説明する。
【００７０】
ポイント・ポーリングは、「グループ情報収集フレーム」と「発信機検出フレーム」とで構成され、「グループ情報収集フレーム」は、受信機が端末装置の呼び出しを行う「受信機フィールド」と、受信機と端末装置との間で伝送が行われない「第１ウェイティングフィールドＷＦ１」と、呼出された端末装置が信号伝送を行う「端末装置フィールド」とで構成され、また、「発信機検出フレーム」は、受信機と発信機との間で信号伝送を行う「発信機フィールド」と、受信機と端末装置との間で信号伝送が行われない「第２ウェイティングフィールドＷＦ２」とで構成される。
【００７１】
まず、図３に示すように、時点Ｐ０において、ポイント・ポーリングの１つの動作である「グループ情報収集フレーム」における「受信機フィールド」が開始される。つまり、火災受信機ＲＥは、アドレスＡＤとしてＦＦｈを送出し、コマンドＣＭ１として０１ｈを送出し、コマンドＣＭ２としてたとえば００ｈを送出し、また、所定の一次サムチェックコードＰＳを送出する。
【００７２】
一方、端末装置フィールドにおいて、上記コマンド等を受信した各グループに属する端末装置は、自己のアドレスの上位桁で示されるグループ番号と、火災受信機ＲＥから受信したグループ番号とが一致した場合、第１ウェイティングフィールドＷＦ１が終了した後、返送データＤ１とニ次サムチェックコードＳＳとを火災受信機ＲＥに返送する。
【００７３】
そして、当該各端末装置が要求されたデータを返送する場合、呼び出しを受けたグループに属する１６台の各端末装置毎に割り当てられた応答タイミング時に、端末装置番号が小さい端末装置から順次データを返送する。
【００７４】
他方、火災受信機ＲＥは、第１ウェイティングフィールドＷＦ１が経過し、端末装置フィールドに入る。端末装置フィールドは、各端末装置のそれぞれの状態情報を火災受信機ＲＥが受信するための１６個のスロットであり、この端末装置フィールドにおいて、端末装置番号０〜１５の端末装置は、各端末装置の端末装置番号に対応したタイムスロット毎に、返送データＤ１とニ次サムチェックコードＳＳとを順次、送出し、火災受信機ＲＥは各端末装置から送出されたデータを収集する。
【００７５】
この端末装置フィールドが終了すると、「発信機検出フレーム」が開始される。「発信機検出フレーム」は、ポイント・ポーリングの１つの動作であり、図３における時点ＣＰにおいて、発信機Ｐのみを呼び出す発信機呼出パルスＰＣを火災受信機ＲＥが送出するフレームである。所定の発信機Ｐの押しボタンが操作され、上記所定の発信機Ｐが発報状態にある場合、受信機ＲＥが発信機呼出パルスＰＣを送出した直後に、発信機Ｐが自己アドレスＡＤｐを発信する。ここで、発信機呼出パルスＰＣは、発信機Ｐからのスタートビットを兼ねているので、８ビットで表される発信機アドレスＡＤｐの返送タイミングの同期をとることができる。このようにして、火災受信機ＲＥは、発報した発信機Ｐのアドレス情報ＡＤｐを得ることができる。
【００７６】
「発信機検出フレーム」において、発信機フィールドが終了すると、火災受信機ＲＥは第２ウェイティングフィールドＷＦ２に入り、この第２ウェイティングフィールドＷＦ２が終了すると、グループ番号０のグループを指定して実行するポイント・ポーリング（Ｇ０）を終了する。
【００７７】
そして、グループを指定するコマンドＣＭ２が１インクリメントされ、時点Ｐ１において、グループ番号１のグループを指定して実行するポイント・ポーリング（Ｇ１）が開始され、ポイント・ポーリング（Ｇ０）の動作と同様の動作を繰り返す。以下、図３において省略してある時点Ｐ２、Ｐ３、……、Ｐ１４において、各グループ番号２ｈ、……、Ｆｈを指定し、ポイント・ポーリングが開始され、ポイント・ポーリング（Ｇ０）の動作と同様の動作を繰り返す。
【００７８】
グループ番号Ｆｈを指定してポイント・ポーリングを終了した後、図３において省略してあるが、種別情報ＩＤを収集するポイント・ポーリングが実行され、火災受信機ＲＥは、アドレスＡＤとしてＦＦｈを送出し、コマンドＣＭ１、ＣＭ２としてそれぞれ００ｈ、０１ｈを送出し、所定の一次サムチェックコードＰＳを送出し、端末装置フィールドにおいて返送データＤ１として、各端末装置の状態情報を送出する代わりに、種別情報ＩＤを各端末装置から送出する。
【００７９】
なお、返送データＤ１以外については、状態情報を収集するポイント・ポーリングの動作と基本的には同様の動作が、グループ番号０ｈのグループを指定して実行される。そして、グループ番号０ｈ〜Ｆｈのグループを順次、指定し、ポイント・ポーリングが実行され、火災受信機ＲＥは、各端末装置から種別情報ＩＤを収集する。グループ番号Ｆｈのグループを指定したポイント・ポーリングが終了した後に、状態情報を収集するポイント・ポーリングが開始される。
【００８０】
次に、上記実施例におけるシステムポーリングの動作について説明する。
【００８１】
図３の時点Ｐ１６において、たとえば、火災復旧を実行するシステムポーリングを行う旨の命令を、火災受信機ＲＥの操作部ＯＰを介して、オペレータが火災受信機ＲＥに入力したとする。この場合、火災受信機ＲＥは、火災復旧を実行するシステムポーリングを示すコマンド等として、ポーリング命令（ＡＤ＝ＦＦｈ）と、火災復旧命令（ＣＭ１＝Ｆ０ｈ）と、一次サムチェックコードＰＳとを順次、送出する。
【００８２】
なお、上記実施例において、システムポーリングを実行する場合、端末装置から火災受信機ＲＥへ応答信号を返送しないようにしているが、火災受信機ＲＥから命令信号を受信したことを示す応答信号を、端末装置から火災受信機ＲＥに返送するようにしてもよい。
【００８３】
また、システムポーリングにおいて、蓄積復旧、地区音響停止、非常放送停止を実行する場合、上記説明における火災復旧命令（ＣＭ１＝Ｆ０ｈ）の代わりに、それぞれ、蓄積復旧命令（ＣＭ１＝Ｆ１ｈ）、地区音響停止命令（ＣＭ１＝Ｆ２ｈ）、非常放送停止命令（ＣＭ１＝Ｆ３ｈ）を送出し、それ以外の点については、上記火災復旧を行うシステムポーリングの動作と基本的には同様の動作を実行する。
【００８４】
次に、上記実施例におけるセレクティングの動作について説明する。
【００８５】
図３の時点Ｐ１７において、たとえば、アドレスＡＤが１２ｈである端末装置の確認灯を消灯させるセレクティングを行う旨の命令を、火災受信機ＲＥの操作部ＯＰを介して、オペレータが火災受信機ＲＥに入力したとする。この場合、火災受信機ＲＥは、確認灯の消灯を行うセレクティングを示すコマンド等として、セレクティングを行うべき端末装置のアドレス（ＡＤ＝１２ｈ）と、確認灯消灯制御命令（ＣＭ１＝８３ｈ）と、一次サムチェックコードＰＳとを順次、送出する。
【００８６】
また、この信号を受信したアドレスＡＤが１２ｈである端末装置は、自己のアドレスＤＡと、返送データＤａと、ニ次サムチェックコードＳＳとを、火災受信機ＲＥに返送する。この場合における返送データＤａは、確認灯が消灯されている状態を示すデータである。
【００８７】
また、セレクティングにおいて火災受信機ＲＥから送出される命令としては、確認灯消灯制御命令（ＣＭ１＝８３ｈ）以外に、火災試験命令（ＣＭ１＝８２ｈ）、確認灯点灯制御命令（ＣＭ１＝８４ｈ）、ＣＬ間制御命令（ＣＭ１＝８５ｈ）、防排煙中継器の起動復帰命令（ＣＭ１＝８６ｈ）、連動鳴動制御命令（ＣＭ１＝８７ｈ）、手動鳴動制御命令（ＣＭ１＝８８ｈ）、ＳＣＩ切離制御命令（ＣＭ１＝８９ｈ）、火災復旧命令（ＣＭ１＝Ｆ０ｈ）、蓄積復旧命令（ＣＭ１＝Ｆ１ｈ）地区音響停止命令（ＣＭ１＝Ｆ２ｈ）、非常放送停止命令（ＣＭ１＝Ｆ３ｈ）、種別情報ＩＤ返送命令（ＣＭ１＝００ｈ）、状態情報返送命令（ＣＭ１＝０１ｈ）等がある。上記各命令を火災受信機ＲＥが送出してセレクティングを行う動作は、命令内容が互いに異なる点を除いて、端末装置の確認灯を消灯させる上記セレクティングの動作と、基本的には同様の動作である。
【００８８】
次に、上記実施例において、ポイント・ポーリングにおける発信機検出フレームを実行中に、複数の発信機が同時に発報している場合に、そのうちの１つの発信機のアドレスのみが火災受信機ＲＥに返送される動作について説明する。
【００８９】
図４は、上記実施例において、３台の発信機ＰA 、ＰB 、ＰC が同時に応答信号を送出しようとした場合（発報を知らせるために自己アドレスを同時に送出しようとした場合）の動作を示すタイムチャートである。
【００９０】
図４に示すタイムチャートにおいて、複数の発信機が発報を知らせるために各自己アドレスＡＤを同時に送出しようとした場合、各自己アドレスＡＤのうちで最も小さいアドレスＡＤのみが火災受信機ＲＥに伝送され、最も小さいアドレスＡＤ以外のアドレスＡＤが送出されないので、伝送線上におけるアドレスＡＤの衝突が生じない。この伝送線上におけるアドレスＡＤの衝突が生じない理由について、以下に説明する。
【００９１】
図４（１）は、火災受信機ＲＥからのタイミングＣＰで出力される発信機呼出パルスＰＣを示す図であり、図４（２）、（３）、（４）は、発報した各発信機ＰA 、ＰB 、ＰC から送出されたアドレス信号を示す図である。
【００９２】
なお、図４に関する説明においては、説明の便宜上、各発信機ＰA 、ＰB 、ＰC のアドレスＡＤを１０進数で示し、タイムチャート上にはそのアドレスＡＤを２進数で示してある。つまり、発信機ＰA のアドレスは、１０進数の「６２」（２進数で示すと、「００１１１１１０」）であり、発信機ＰB のアドレスは、１０進数の６４（２進数で示すと、「０１００００００」）であり、発信機ＰC のアドレスは、１０進数の１６０（２進数で示すと、「１０１０００００」）であるとする。
【００９３】
図４（１）に示す時点ＣＰで、火災受信機ＲＥから発信機ＰA 、ＰB 、ＰC が発信機呼出パルスＰＣを受信したときに、発信機ＰA 、ＰB 、ＰC がそれぞれ発報していたとする。そして、時点ＣＰにおいて発信機呼出パルスＰＣが火災受信機ＲＥから送出された後に、発信機ＰA 、ＰB 、ＰC が、各自己のアドレスＡＤの最上位ビットから１ビットづつ送出を開始する。
【００９４】
ここで、発信機ＰB のアドレスＡＤは「０１００００００」（２進数）であるので、その最上位ビットは「０」であり、発信機ＰA のアドレスＡＤは「００１１１１１０」（２進数）であるので、その最上位ビットは「０」であり、発信機ＰC のアドレスＡＤは「１０１０００００」（２進数）であるので、その最上位ビットは「１」である。
【００９５】
つまり、各アドレスＡＤの最上位ビットに着目すると、発信機ＰA 、ＰB が「０」（すなわち非アクティブレベル）を送出し、発信機ＰC が「１」（すなわちアクティブレベル）を送出し、上記実施例においては、信号線Ｌに、「０」（すなわち非アクティブレベル）と、「１」（すなわちアクティブレベル）とが送出されると、信号線Ｌ上の信号は、「０」（すなわち非アクティブレベル）になるようになっている。
【００９６】
このように信号線Ｌの値が「０」（すなわち非アクティブレベル）になっているにもかかわらず、発信機ＰC が「１」（すなわちアクティブレベル）を送出しようとしているので、発信機ＰC は、自己のアドレスＡＤよりも小さいアドレスＡＤの発信機が信号送出中であると判断し、その後における発信機ＰC の自己アドレスＡＤの送出を断念する。一方、発信機ＰA 、ＰB は、信号線が「０」（すなわち非アクティブレベル）になっており、発信機ＰA 、ＰB が「０」（すなわち非アクティブレベル）を送出しているので、アドレスＡＤの最上位ビット送出の段階では、発信機ＰA 、ＰB は、自己のアドレスＡＤよりも小さいアドレスＡＤの発信機が信号送出中であるとは判断せず、その後における発信機ＰA 、ＰB の自己アドレスＡＤの送出を続行しようとする。
【００９７】
次に、アドレスＡＤの最上位ビットの次のビットに着目すると、発信機ＰA が「０」（すなわち非アクティブレベル）を送出し、発信機ＰB が「１」（すなわちアクティブレベル）を送出しているので、信号線Ｌ上の信号は、「０」（すなわち非アクティブレベル）になる。
【００９８】
このように信号線Ｌ上の信号が「０」（すなわち非アクティブレベル）になっているにもかかわらず、発信機ＰB が「１」（すなわちアクティブレベル）を送出しようとしているので、発信機ＰB は、自己のアドレスＡＤよりも小さいアドレスＡＤの発信機が信号送出中であると判断し、その後における発信機ＰB の自己アドレスＡＤの送出を断念する。
【００９９】
一方、発信機ＰA は、信号線が「０」（すなわち非アクティブレベル）になっており、発信機ＰA が「０」（すなわち非アクティブレベル）を送出しているので、アドレスＡＤの最上位ビットの次のビット送出の段階では、自己のアドレスＡＤよりも小さいアドレスＡＤの発信機が信号送出中であるとは判断せず、その後における発信機ＰA の自己アドレスＡＤの送出を続行しようとする。
【０１００】
そして、アドレスＡＤの最上位ビットの次の次のビットに着目すると、発信機ＰA が「１」（すなわちアクティブレベル）を送出し、信号線が「１」（すなわちアクティブレベル）であるので、アドレスＡＤの最上位ビットの次の次のビット送出の段階で、発信機ＰA は、自己のアドレスＡＤよりも小さいアドレスＡＤの発信機が信号送出中であるとは判断せず、その後における発信機ＰA の自己アドレスＡＤの送出を続行しようとする。そして、上記判断、動作を繰り返してアドレスＡＤの最下位ビットが送出される。
【０１０１】
この結果、最もアドレスＡＤの小さい発信機ＰA のアドレスのみが火災受信機ＲＥに送出され、したがって、複数の発信機が発報を知らせるために各自己アドレスＡＤを同時に送出しようとした場合、各自己アドレスＡＤの衝突を阻止することができる。そして、図４（４）に示すように、伝送上の信号は、火災受信機ＲＥからの発信機呼出パルスをスタートビットとし、発信機ＰA のアドレスＡＤが８ビットで送出される。
【０１０２】
なお、複数の発信機が発報を知らせるために各自己アドレスＡＤを同時に送出しようとした場合、各自己アドレスＡＤのうちで最も大きいアドレスＡＤのみが火災受信機ＲＥに伝送され、最も大きいアドレスＡＤ以外のアドレスＡＤが送出されないようにしてもよく、このようにすることによって、発信機を有する端末装置が多数接続され、発信機が作動した端末装置を一斉に呼び出した場合、端末装置からの返送信号が衝突せずに、発信機が作動した端末装置を特定することができる。
【０１０３】
つまり、上記実施例は、火災感知器、中継器、発信機または被制御機器等の複数の端末装置が受信部に接続されている防災設備において、複数の発信機が発報した場合に、発報した複数の発信機のうちの１つの発信機の信号のみが受信部に送信されるように制御される防災設備である。この場合、発信機は、他の発信機が同時に信号送出状態にあるときに、他の発信機との間で、上記受信部に送信する優先度を判別する優先度判別手段を有する。さらに、上記優先度判別手段は、発報した複数の発信機の各アドレスのうちで、最も大きなアドレスまたは最も小さなアドレスを判別する手段であり、この判別された最も大きなアドレスまたは最も小さなアドレスが上記受信部に送信される。
【０１０４】
上記実施例によれば、発信機を有する端末装置が多数接続され、発信機が作動した端末装置を一斉に呼び出した場合、端末装置からの返送信号が衝突せずに、発信機が作動した端末装置を特定することができる。
【０１０５】
図５は、上記実施例において使用されている火災受信機ＲＥの一例を示すブロック図である。
【０１０６】
火災受信機ＲＥは、マイクロプロセッサＭＰＵ１と、ＲＯＭ（Ｒｅａｄ  Ｏｎｌｙ  Ｍｅｍｏｒｙ）１１〜１３と、ＲＡＭ（Ｒａｎｄｏｍ  Ａｃｃｅｓｓ  Ｍｅｍｏｒｙ）１１〜１９と、インタフェースＩＦ１１〜１３と、信号送受信部ＴＲＸ１と、操作部ＯＰと、表示部ＤＰと、タイマＴｓｌｔとを有する。
【０１０７】
ＲＯＭ１１は、図９〜図１５に示すフローチャートに関するプログラム等を記憶する領域である。ＲＯＭ１２は、各端末装置のアドレス（グループ番号と端末番号）と種別情報ＩＤとが対応している端末マップテーブルを記憶する領域である。ＲＯＭ１３は、火災地区と制御すべき防火戸等の被制御機器との連動制御関係を示す連動制御テーブルを記憶する領域である。
【０１０８】
ＲＡＭ１１は、作業用領域である。ＲＡＭ１２は、ポイント・ポーリングのグループ情報収集フレームにおいて端末装置から返送された返送データＤ１と、ニ次サムチェックコードＳＳとを記憶する領域であり、返送データＤ１を格納するＲＡＭ１２１と、ニ次サムチェックコードＳＳを格納するＲＡＭ１２２とで構成されている。ＲＡＭ１３は、各種端末装置のアドレスと種別情報ＩＤとを記憶する領域である。
【０１０９】
なお、初期設定時には、ＲＯＭ１２に記憶されている各端末装置のアドレスと種別情報ＩＤとがＲＡＭ１３にロードされ、それ以降、端末装置の付け替え等によって、これらのアドレスと種別情報ＩＤとを変更する必要がある場合には、操作部ＯＰを操作することによって、これらを変更することができる。また、ポイント・ポーリングのグループ情報収集フレームにおいて、種別情報ＩＤが返送された場合、ＲＡＭ１３に先に記憶されている種別情報ＩＤは、この返送された種別情報ＩＤに更新される。
【０１１０】
ＲＡＭ１４は、上記グループ情報収集フレームにおいて、端末装置に送信すべきアドレスＡＤと、コマンドＣＭ１、ＣＭ２と、一次サムチェックコードＰＳとを記憶する領域である。なお、ＲＡＭ１４は、アドレスＡＤを格納するＲＡＭ１４１と、コマンドＣＭ１を格納するＲＡＭ１４２と、コマンドＣＭ２を格納するＲＡＭ１４３と、一次サムチェックコードＰＳを格納するＲＡＭ１４４とで構成されている。
【０１１１】
ＲＡＭ１５は、ポイント・ポーリングにおける発信機検出フレームにおいて、返送された発信機のアドレスを記憶する領域である。ＲＡＭ１６は、伝送異常検出変数ｆｘをアドレスＡＤ毎に記憶する領域である。なお、伝送異常検出変数ｆｘは、アドレスＡＤがｘである端末装置について、伝送異常が検出された回数を示す変数であり、１０進法で示される。
【０１１２】
ＲＡＭ１７は、システムポーリングにおいて端末装置に送信すべきアドレスＡＤと、コマンドＣＭ１と、一次サムチェックコードＰＳとを記憶する領域である。なお、ＲＡＭ１７は、アドレスＡＤを格納するＲＡＭ１７１と、コマンドＣＭ１を格納するＲＡＭ１７２と、コマンドＣＭ２を格納するＲＡＭ１７３とで構成されている。
【０１１３】
ＲＡＭ１８は、セレクティングにおいて端末装置に送信すべきアドレスＡＤと、コマンドＣＭ１と、一次サムチェックコードＰＳとを記憶する領域である。なお、ＲＡＭ１８は、アドレスＡＤを格納するＲＡＭ１８１と、コマンドＣＭ１を格納するＲＡＭ１８２と、一次サムチェックコードＰＳを格納するＲＡＭ１８３とで構成されている。
【０１１４】
ＲＡＭ１９は、セレクティングにおいて端末装置から返送された端末装置の自己アドレスＤＡと、返送データＤａと、ニ次サムチェックコードＳＳとを記憶する領域である。なお、ＲＡＭ１９は、端末装置の自己アドレスＤＡを格納するＲＡＭ１９１と、返送データＤａを格納するＲＡＭ１９２と、ニ次サムチェックコードＳＳを格納するＲＡＭ１９３とで構成されている。
【０１１５】
タイマＴｓｌｔは、状態情報を受信するためのスロットと発信機スロットとについて、その開始時間と終了時間とを管理するタイマである。
【０１１６】
インタフェースＩＦ１１は、操作部ＯＰとマイクロプロセッサＭＰＵ１とを接続するインタフェースである。インタフェースＩＦ１２は、表示部ＤＰとマイクロプロセッサＭＰＵ１とを接続するインタフェースである。インタフェースＩＦ１３は、信号送受信部ＴＲＸ１とマイクロプロセッサＭＰＵ１とを接続するインタフェースである。
【０１１７】
信号送受信部ＴＲＸ１は、並直列変換器と、送信回路と、受信回路と、直並列変換器等で構成されている。操作部ＯＰには、各種スイッチ、テンキー等が設けられている。表示部ＤＰには、各種表示灯、ＣＲＴ等が設けられている。
【０１１８】
図６は、上記実施例における端末装置の一例としてのアナログ式光電式火災感知器Ｓを示すブロック図である。
【０１１９】
アナログ式光電式火災感知器Ｓは、マイクロプロセッサＭＰＵ２と、ＲＯＭ２１、２２と、ＲＡＭ２１〜２８と、インタフェースＩＦ２１〜２６と、信号送受信部ＴＲＸ２と、煙検出用発光素子の一例としての発光ダイオードＬＤと、受光素子の一例としてのホトダイオードＰＤと、所定の時間間隔でパルスを発生させ発光、受光等のセンサ処理（煙検出動作）に基づいて上記発光ダイオードＬＤとホトダイオードＰＤとを駆動させる）クロック発生源ＣＬＫと、動作確認灯としての発光ダイオードＬＥＤと、タイマＴｄと、発光ダイオードＬＤを所定の発光量で発光させる発光回路ＬＤＣと、増幅回路やサンプルホールド回路を有する受光回路ＰＤＣと、動作確認灯ＬＥＤの消灯、点灯を制御する発光回路ＬＥＤＣと、受光部の感度を所定値まで上昇させ火災試験を実行するための火災試験回路ＴＥとを有する。
【０１２０】
ＲＯＭ２１は、ポイント処理、システム処理、セレクティング処理等の動作に関するプログラム等を記憶する領域である。ＲＯＭ２２は、自己アドレス（その上位桁が、自己が属するグループ番号、その下位桁が、端末番号としても使用される）と、種別情報ＩＤとを記憶する領域である。なお、ＲＯＭ２２の代わりにディップスイッチ等を使用するようにしてもよい。
【０１２１】
ＲＡＭ２１は、作業用領域である。ＲＡＭ２２は、現在の煙の物理量の情報を記憶する領域である。ＲＡＭ２３は、グループ内端末番号ｍと、自己の状態情報とを火災受信機ＲＥに返送するタイミング（すなわち自己に割り当てられたスロット）を記憶する領域である。なお、火災受信機ＲＥに返送する上記返送タイミングは、自己のアドレスの下位桁で示されるグループ内端末番号ｍに基づいて、初期設定時の直後に算出され、以下の説明では、上記返送タイミングを情報返送開始時刻Ｔｄｍで示す。
【０１２２】
ＲＡＭ２４は、ポイント・ポーリングのグループ情報収集フレームにおいて火災受信機ＲＥから受信したアドレスＡＤ、コマンドＣＭ１、ＣＭ２、一次サムチェックコードＰＳを記憶する領域である。なお、ＲＡＭ２４は、アドレスＡＤを格納するＲＡＭ２４１と、コマンドＣＭ１を格納するＲＡＭ２４２と、コマンドＣＭ２を格納するＲＡＭ２４３と、一次サムチェックコードＰＳを格納するＲＡＭ２４４とで構成されている。
【０１２３】
ＲＡＭ２５は、ポイント・ポーリングのグループ情報収集フレームにおいて火災受信機ＲＥへ送出する返送データＤ１と、ニ次サムチェックコードＳＳとを記憶する領域である。なお、ＲＡＭ２５は、返送データＤ１を格納するＲＡＭ２５１と、二次サムチェックコードＳＳを格納するＲＡＭ２５２とによって構成されている。
【０１２４】
ＲＡＭ２６は、システムポーリングにおけるアドレスＡＤ、コマンドＣＭ１、一次サムチェックコードＰＳを記憶する領域である。なお、ＲＡＭ２６は、アドレスＡＤを格納するＲＡＭ２６１と、コマンドＣＭ１を格納するＲＡＭ２６２と、一次サムチェックコードＰＳを格納するＲＡＭ２６３とで構成されている。
【０１２５】
ＲＡＭ２７は、セレクティングにおけるアドレスＡＤ、コマンドＣＭ１、一次サムチェックコードＰＳを記憶する領域である。なお、ＲＡＭ２７は、アドレスＡＤを格納するＲＡＭ２７１と、コマンドＣＭ１を格納するＲＡＭ２７２と、一次サムチェックコードＰＳを格納するＲＡＭ２７３とで構成されている。
【０１２６】
ＲＡＭ２８は、セレクティングにおいて返送される当該火災感知器Ｓの自己アドレスＤＡと、返送データＤａと、ニ次サムチェックコードＳＳとを記憶する領域である。なお、ＲＡＭ２８は、自己アドレスＤＡを格納するＲＡＭ２８１と、返送データＤａを格納するＲＡＭ２８２と、ニ次サムチェックコードＳＳを格納するＲＡＭ２８３とで構成されている。
【０１２７】
インタフェースＩＦ２１は、クロックＣＬＫとマイクロプロセッサＭＰＵ２とを接続するインタフェースである。インタフェースＩＦ２２は、火災試験回路ＴＥとマイクロプロセッサＭＰＵ２とを接続するインタフェースである。インタフェースＩＦ２３は、信号送受信部ＴＲＸ２とマイクロプロセッサＭＰＵ２とを接続するインタフェースである。インタフェースＩＦ２４は、受光回路ＰＤＣとマイクロプロセッサＭＰＵ２とを接続するインタフェースである。インタフェースＩＦ２５は、発光回路ＬＥＤＣとマイクロプロセッサＭＰＵ２とを接続するインタフェースである。インタフェースＩＦ２６は、煙検出用の発光回路ＬＤＣとマイクロプロセッサＭＰＵ２とを接続するインタフェースである。Ｔｄは、データ返送開始時間等を管理する返送タイミング管理タイマである。信号送受信部ＴＲＸ２は、信号送受信部ＴＲＸ１と同様のものである。
【０１２８】
なお、アナログ式火災感知器Ｓは、上記実施例に示した光電式に限定されず、熱式、炎式、ガス式、臭い式等であってもよい。この場合には、煙検出用の発光ダイオードＬＤとその発光回路ＬＤＣ、ホトダイオードＰＤとその受光回路ＰＤＣの代わりに、熱式のアナログ式火災感知器であれば、感熱手段としてのサーミスタとその検出回路とを設けてもよく、炎式のアナログ式火災感知器であれば、焦電素子または紫外線検出素子等の受光素子とその検出回路とを設けてもよく、ガス式のアナログ式火災感知器であれば、ガスセンサとその検出回路とを設けてもよく、臭い式火災感知器であれば、臭いセンサとその検出回路とを設けるようにしてもよく、これらの点以外については、その基本的構造は同じである。
【０１２９】
図７は、上記実施例における端末装置の一例としての中継器ＲＰを示すブロック図である。
【０１３０】
中継器ＲＰは、マイクロプロセッサＭＰＵ３と、ＲＯＭ３１、３２と、ＲＡＭ３１〜３８と、インタフェースＩＦ３１〜３８と、データ返送開始時刻等を管理する返送タイミング管理タイマであるタイマＴｄと、当該中継器ＲＰに接続されているオンオフ式火災感知器から火災信号を受信する火災信号受信回路ＦＳＲと、中継器に接続された当該オンオフ式火災感知器の受光部の感度を所定値まで上昇させ火災試験を実行するための火災試験回路ＴＥと、図示しない地区ベルを制御する地区音響制御回路ＬＡＣと、中継器におけるＣＬ線（図示せず）を制御するＣＬ間制御回路ＣＬＲと、図示しない防火戸Ｄの開閉を制御する防排煙制御回路ＢＨＲと、中継器ＲＰと信号線末端の電源のオン・オフとを制御するＳＣＩ切断制御回路ＳＣＲと、図示しないスピーカからの警報発生を制御する放送制御回路ＢＡＣと、信号送受信部ＴＲＸ３とを有する。
【０１３１】
ＲＯＭ３１は、図１０〜１２に示すフローチャートに関するプログラム等を記憶する領域である。ＲＯＭ３２は、自己アドレス（上位桁がグループ番号として、下位桁が端末番号としても使用される）と種別情報ＩＤ等を記憶する領域である。なお、ＲＯＭ３２の代わりに、ディップスイッチ等を使用するようにしてもよい。
【０１３２】
ＲＡＭ３１は、作業用領域である。ＲＡＭ３２は、現在の状態情報（すなわち、オンオフ式火災感知器Ｆが火災であるとの信号を送出しているか否か等）を記憶する領域である。ＲＡＭ３３は、グループ内端末番号がｍである自己の状態情報を火災受信機ＲＥに返送するタイミング（すなわち自己に割り当てられたスロット）を記憶する領域である。この返送タイミングを、以下の説明では、情報返送開始時刻Ｔｄｍで示す。なお、後述する初期設定時（図１６のＵ１）の直後に、自己のアドレスの下位桁で示される端末番号に基づいて、当該返送タイミングが算出される（図１６のＵ２）。
【０１３３】
ＲＡＭ３４は、ポイント・ポーリングのグループ情報収集フレームにおいて火災受信機ＲＥから受信したアドレスＡＤ、コマンドＣＭ１、ＣＭ２、一次サムチェックコードＰＳを記憶する領域であり、アドレスＡＤを格納するＲＡＭ３４１と、コマンドＣＭ１を格納するＲＡＭ３４２と、コマンドＣＭ２を格納するＲＡＭ３４３と、一次サムチェックコードＰＳを格納するＲＡＭ３４４とで構成されている
ＲＡＭ３５は、ポイント・ポーリングのグループ情報収集フレームにおいて火災受信機ＲＥへ送出する返送データＤ１と、ニ次サムチェックコードＳＳとを記憶する領域であり、返送データＤ１を格納するＲＡＭ３５１と、ニ次サムチェックコードＳＳを格納するＲＡＭ３５２とで構成されている。
【０１３４】
ＲＡＭ３６は、システムポーリングにおけるアドレスＡＤ、コマンドＣＭ１、一次サムチェックコードＰＳを記憶する記憶領域であり、アドレスＡＤを格納するＲＡＭ３６１と、コマンドＣＭ１を格納するＲＡＭ３６２と、一次サムチェックコードＰＳを格納するＲＡＭ３６３とで構成されている。
【０１３５】
ＲＡＭ３７は、セレクティングにおけるアドレスＡＤ、コマンドＣＭ１、一次サムチェックコードＰＳを記憶する記憶領域であり、アドレスＡＤを格納するＲＡＭ３７１と、コマンドＣＭ１を格納するＲＡＭ３７２と、一次サムチェックコードＰＳを格納するＲＡＭ３７３とで構成されている。
【０１３６】
ＲＡＭ３８は、セレクティングにおいて返送される端末装置の自己アドレスＤＡと、返送データＤａと、ニ次サムチェックコードＳＳとを記憶する領域であり、アドレスＤＡを格納するＲＡＭ３８１と、返送データＤａを格納するＲＡＭ３８２と、ニ次サムチェックコードＳＳを格納するＲＡＭ３８３とで構成されている。
【０１３７】
インタフェースＩＦ３１は、火災信号受信回路ＦＳＲとマイクロプロセッサＭＰＵ３とを接続するインタフェースである。インタフェースＩＦ３２は、火災試験回路ＴＥとマイクロプロセッサＭＰＵ３とを接続するインタフェースである。インタフェースＩＦ３３は、地区音響制御回路ＬＡＣとマイクロプロセッサＭＰＵ３とを接続するインタフェースである。インタフェースＩＦ３４は、ＣＬ間制御回路ＣＬＲとマイクロプロセッサＭＰＵ３とを接続するインタフェースである。インタフェースＩＦ３５は、防排煙制御回路ＢＨＲとマイクロプロセッサＭＰＵ３とを接続するインタフェースである。インタフェースＩＦ３６は、ＳＣＩ切断制御回路ＳＣＲとマイクロプロセッサＭＰＵ３とを接続するインタフェースである。インタフェースＩＦ３７は、放送制御回路ＢＡＣとマイクロプロセッサＭＰＵ３とを接続するインタフェースである。インタフェースＩＦ３８は、信号送受信部ＴＲＸ３とマイクロプロセッサＭＰＵ３とを接続するインタフェースである。なお、信号送受信部ＴＲＸ３は、信号送受信部ＴＲＸ１と同様のものである。上記実施例において、１つの中継器にオンオフ式火災感知器、地区ベル、防火戸、スピーカが接続されているが、これらの少なくとも１つの機器が中継器に接続されるように構成してもよい。
【０１３８】
図８は、上記実施例における発信機Ｐを示すブロック図である。
【０１３９】
発信機Ｐは、マイクロプロセッサＭＰＵ４と、ＲＯＭ４１、４２と、ＲＡＭ４１〜４９と、インタフェースＩＦ４１〜４３と、信号送受信部ＴＲＸ４と、火災時に操作されるべき押しボタン式等のスイッチＳＷと、応答ランプとしての発光ダイオードＬＥＤと、応答ランプＬＥＤを発光させる発光回路ＬＥＤＣと、ビットタイマＴｂとを有する。
【０１４０】
ＲＯＭ４１は、図１８と図１９とに示すフローチャートに関するプログラム等を記憶する領域である。ＲＯＭ４２は、上位桁がグループ番号として、下位桁が端末番号としても使用される自己アドレスを記憶する領域である。なお、ＲＯＭ４２の代わりに、ディップスイッチ等を使用するようにしてもよい。
【０１４１】
ＲＡＭ４１は、作業用領域である。ＲＡＭ４２は、現在の作動情報を記憶する領域である。ＲＡＭ４３は、図１８と図１９とに示す動作において自己の作動情報を火災受信機ＲＥに返送するタイミングを記憶する領域である。なお、当該タイミングは、アナログ式光電式火災感知器Ｓにおける動作と同様に、初期設定時の直後に、自己のアドレスの下位桁で示されるグループ内端末番号ｍに基づいて算出される。ＲＡＭ４４は、発信機が作動（すなわち発報）している場合に、図１８と図１９とに示す動作において送出する自己のアドレス設定を記憶する領域である。
【０１４２】
ＲＡＭ４５は、ポイント・ポーリングのグループ情報収集フレームにおいて、火災受信機ＲＥから受信したアドレスＡＤ、コマンドＣＭ１、ＣＭ２、一次サムチェックコードＰＳを記憶する領域であり、アドレスＡＤを格納するＲＡＭ４５１と、コマンドＣＭ１を格納するＲＡＭ４５２と、コマンドＣＭ２を格納するＲＡＭ４５３と、一次サムチェックコードＰＳを格納するＲＡＭ４５４とで構成されている。
【０１４３】
ＲＡＭ４６は、ポイント・ポーリングのグループ情報収集フレームにおいて火災受信機ＲＥへ送出する返送データＤ１と、ニ次サムチェックコードＳＳとを記災する領域であり、返送データＤ１を格納するＲＡＭ４６１とニ次サムチェックコードＳＳを格納するＲＡＭ４６２とで構成されている。
【０１４４】
ＲＡＭ４７は、システムポーリングにおいて火災受信機ＲＥから受信したアドレスＡＤと、コマンドＣＭ１と、一次サムチェックコードＰＳとを記憶する領域であり、アドレスＡＤを格納するＲＡＭ４７１と、コマンドＣＭ１を格納するＲＡＭ４７２と、一次サムチェックコードＰＳを格納するＲＡＭ４７３とで構成されている。
【０１４５】
ＲＡＭ４８は、セレクティングにおいて、火災受信機ＲＥから受信したアドレスＡＤと、コマンドＣＭ１と、一次サムチェックコードＰＳとを記憶する領域であり、アドレスＡＤを格納するＲＡＭ４８１と、コマンドＣＭ１を格納するＲＡＭ４８２と、一次サムチェックコードＰＳを格納するＲＡＭ４８３とで構成されている。
【０１４６】
ＲＡＭ４９は、セレクティングにおいて、火災受信機ＲＥへ送出する自己のアドレスＤＡと、返送データＤａと、ニ次サムチェックコードＳＳとを記憶する領域であり、自己アドレスＤＡを格納するＲＡＭ４９１と、返送データＤａを格納するＲＡＭ４９２と、ニ次サムチェックコードＳＳを格納するＲＡＭ４９３とで構成されている。
【０１４７】
インタフェースＩＦ４１は、信号送受信部ＴＲＸ４とマイクロプロセッサＭＰＵ４とを接続するインタフェースである。インタフェースＩＦ４２は、押しボタン式等のスイッチＳＷとマイクロプロセッサＭＰＵ４とを接続するインタフェースである。インタフェースＩＦ４３は、応答ランプとしての発光回路ＬＥＤＣとマイクロプロセッサＭＰＵ４とを接続するインタフェースである。
【０１４８】
信号送受信部ＴＲＸ４は、信号送受信部ＴＲＸ１と同様のものである。また、ビットタイマＴｂは、後述の発信機呼出パルスとアドレス送信信号とアドレス送信信号とが互いに重複して出力されることを防止するために使用される管理タイマである。
【０１４９】
次に、上記実施例における火災受信機ＲＥの動作について説明する。
【０１５０】
図９は、上記実施例において、火災受信機ＲＥの動作を示すシステムフローチャートである。
【０１５１】
まず、火災報知設備の電源を投入することによって立ち上げが行われた後、初期設定を行い（Ｓ１）、たとえば全てのアドレスについての伝送異常検出変数ｆｘを「０」に設定する。そして、確認灯の消灯等のセレクティング命令を、火災受信機ＲＥの操作部ＯＰからオペレータが入力したか否かを判別し（Ｓ２）、上記セレクティング命令が入力されていない場合（Ｓ２）、システムポーリング命令を、火災受信機ＲＥの操作部ＯＰからオペレータが入力したか否かを判別し（Ｓ３）、上記システムポーリング命令が入力されていない場合（Ｓ３）、ポイント・ポーリングを行い（Ｓ４）、ステップＳ２に戻り、上記動作（Ｓ２〜Ｓ４）を繰り返す。
【０１５２】
なお、確認灯の消灯等のセレクティング命令をオペレータが入力した場合（Ｓ２）、セレクティングを行う（Ｓ６）。また、システムポーリング命令をオペレータが入力した場合（Ｓ３）、システムポーリングを行う（Ｓ５）。したがって、操作部ＯＰからオペレータが入力しない場合には（Ｓ３）、ポイント・ポーリングが行われる（Ｓ４）。
【０１５３】
なお、上記各ポーリングとセレクティングとの詳細内容は、火災受信機ＲＥの操作部ＯＰからオペレータによって入力され、その入力に基づいてアドレスＡＤ、コマンドＣＭ１、コマンドＣＭ２、一次サムチェックコードＰＳの内容が定まり、各種のポーリングとセレクティングとが実行される。
【０１５４】
図１０〜図１２は、図９におけるポイント・ポーリング（Ｓ４）の動作を具体的に示すフローチャートである。
【０１５５】
ここで、「グループ情報収集フレーム」の動作は、主にＳ４０１〜Ｓ４２６に相当し、「発信機検出フレーム」の動作は、主にＳ４２７〜Ｓ４３３に相当する。
【０１５６】
まず、ポーリング命令（ＡＤ＝ＦＦｈ）、ポイント・ポーリングにおける状態情報返送命令（ＣＭ１＝０１ｈ）、ポイント・ポーリングにおけるグループ指定コード（たとえばＣＭ２＝００ｈ）のそれぞれをＲＡＭ１４１、ＲＡＭ１４２、ＲＡＭ１４３に格納する（Ｓ４０１〜Ｓ４０３）。
【０１５７】
次に、ＲＡＭ１４１〜ＲＡＭ１４３のアドレスＡＤ、コマンドＣＭ１、ＣＭ２を加算して、一次サムチェックコードＰＳを得る（Ｓ４０４）。この一次サムチェックコードＰＳをＲＡＭ１４４に格納する（Ｓ４０５）。そして、ＲＡＭ１４１〜ＲＡＭ１４４に格納されているアドレスＡＤ、コマンドＣＭ１、ＣＭ２、一次サムチェックコードＰＳを信号送受信部ＴＲＸ１から順次、送出する（Ｓ４０６）。そして、管理タイマＴｓｌｔをスタートさせ（Ｓ４０７）、また、ｍを０にリセットする（Ｓ４０８）。なお、ｍは、グループ内端末番号を示す１６進数である。なお、タイマＴｓｌｔが既に起動している場合には、クリアーして再スタートさせるリセットを行う（Ｓ４０８）。
【０１５８】
次に、当該管理タイマＴｓｌｔが、グループ内端末番号がｍである端末装置から返送される返送データＤ１、ニ次サムチェックコードＳＳを受信するためのスロットの開始時刻が開始時刻Ｔｓｍであるか否かを判別する（Ｓ４０９）。なお、スロットの開始時刻Ｔｓｍの小文字ｍは、グループ内端末番号を示すものである。当該管理タイマＴｓｌｔが、上記スロットの開始時刻Ｔｓｍを示す場合（Ｓ４０９）、受信イネーブル状態（受信可能状態）となる（Ｓ４１０）。
【０１５９】
一方、当該管理タイマＴｓｌｔが、スロット開始時刻Ｔｓｍに満たない場合、当該管理タイマＴｓｌｔが、上記スロット開始時刻Ｔｓｍとなるまで待つ（Ｓ４０９）。また、当該管理タイマＴｓｌｔがスロット開始時刻Ｔｓｍを示すまでは、火災受信機ＲＥは端末装置に対して何も行わない（第１ウェイティングフィールドＷＦ１になる）。受信イネーブル状態となり、第１所定時間Ｔ１内に端末装置から返送データＤ１を受信したら（Ｓ４１１、Ｓ４３４）、返送データＤ１をＲＡＭ１２１に格納する（Ｓ４１２）。
【０１６０】
ここで、第１所定時間Ｔ１は、上記スロット開始時刻Ｔｓｍから、当該端末装置のグループ内端末番号よりも１つ大きいグループ内端末番号（ｍ＋１）を有する端末装置のスロット開始時刻Ｔｓｍ＋１までの時間である。当該第１所定時間Ｔ１を越えたか否かの判別は、上記管理タイマＴｓｌｔが行う（Ｓ４３４）。
【０１６１】
次に、第２所定時間Ｔ２内に端末装置からニ次サムチェックコードＳＳを受信したら（Ｓ４１３、Ｓ４３５）、ニ次サムチェックコードＳＳをＲＡＭ１２２に格納する（Ｓ４１４）。
【０１６２】
ここで、第２所定時間Ｔ２は、上記スロット開始時刻Ｔｓｍから、グループ内端末番号ｍのためのスロットの終了時刻Ｔｅｍまでの時間である。第２所定時間Ｔ２を越えたか否かの判別も、当該管理タイマＴｓｌｔが行う（Ｓ４３５）。さらに、当該端末装置から火災受信機ＲＥへの伝送が正常に行われたか否かを判断するために、ＲＡＭ１２２に格納されたニ次サムチェックコードＳＳに基づいてサムチェックを行う。
【０１６３】
すなわち、ＲＡＭ１４１〜ＲＡＭ１４４、ＲＡＭ１２１にそれぞれ格納されているアドレスＡＤ、コマンドＣＭ１、ＣＭ２、一次サムチェックコードＰＳ、返送データＤ１を読出し（Ｓ４１４〜Ｓ４１９）、アドレスＡＤと、コマンドＣＭ１、ＣＭ２と、返送データＤ１と、一次サムチェックコードＰＳとを加算することによって、二次演算コードＳＣ１を得る（Ｓ４２０）。
【０１６４】
この得られた二次演算コードＳＣ１が、ＲＡＭ１２２に格納されているニ次サムチェックコードＳＳと一致するか否かを判断する（Ｓ４２２）。サムチェックの結果が、一致すれば（Ｓ４２２）、伝送が正常に行われたと判断できるので、ポイント・ポーリングが１回目の場合（Ｓ４２３）、伝送異常検出変数ｆｘが０であるので、そのまま受信を禁止し（Ｓ４２３、Ｓ４２４）、ここで、グループ内端末番号ｍを有する端末装置からのデータの読み込みは終了する。したがって、この時点で受信途中のデータは、破棄される。
【０１６５】
次に、ｍを１インクリメントし（Ｓ４２５）、上記動作（Ｓ４０９〜Ｓ４２４）を繰り返し、グループ内端末番号がｍ＋１である端末装置からの返送データＤ１とニ次サムチェックコードＳＣ１とを収集する。そして、上記動作（Ｓ４０９〜Ｓ４２６）を、ｍの値が１０ｈになるまで繰り返し、ｍが１０ｈを越えたら（Ｓ４２６）、ステップＳ４２７に進む。すなわち、ｍが１０ｈを越えた場合には、グループ内の１６台の端末装置の全てからの返送データＤ１、ニ次サムチェックコードＳＳの収集が終了したので、ステップＳ４２７に進む。
【０１６６】
このようにして、１つのグループに属する各端末装置の各返送データＤ１が、順次、各端末装置について用意されているスロットで、一群のグループ情報として返送され、火災受信機ＲＥに収集される。
【０１６７】
なお、アドレスがｘ番の端末装置から返送データＤ１を、上記所定時刻Ｔｓｍ＋１内に受信しない場合（Ｓ４３４）には、当該ｘ番の端末装置に対する無応答処理を行う（Ｓ４３６）。ここで、無応答処理とは、アドレスがｘである端末装置について、伝送異常検出変数ｆｘを１インクリメントすることをいい、伝送異常検出変数ｆｘが、たとえば、３となった場合には、火災受信機ＲＥの表示部ＤＰに異常表示（伝送異常であるとの表示）を行うことをいう。ここで、伝送異常検出回数を示す変数ｆｘは、アドレス別にＲＡＭ１６に格納される。
【０１６８】
また、アドレスがｘ番である端末装置からニ次サムチェックコードＳＳを、所定時刻Ｔｅｍ内に受信しない場合（Ｓ４３５）にも、伝送異常検出変数ｆｘを１インクリメントすることによって、無応答処理する（Ｓ４３６）。伝送異常検出変数ｆｘが「３」になった場合、火災受信機ＲＥの表示部ＤＰに異常表示（伝送異常であるとの表示）が行われる。なお、上記と同様に、伝送異常検出変数ｆｘは、アドレス別にＲＡＭ１６に格納される。さらに、二次演算コードＳＣ１がニ次サムチェックコードＳＳと一致しない場合（すなわち、サムチェックの結果が不一致である場合）（Ｓ４２２）、誤応答処理がなされる（Ｓ４３７）。ここで、誤応答処理も、上記無応答処理の場合と同様に、伝送異常検出変数ｆｘが１インクリメントされ、伝送異常検出変数ｆｘが「３」になった場合には、火災受信機ＲＥの表示部ＤＰに異常表示（伝送異常であるとの表示）が行われる。なお、伝送異常検出変数ｆｘは、アドレス別にＲＡＭ１６に格納される。
【０１６９】
また、ポイント・ポーリングが２回目以降の場合に、伝送異常検出変数ｆｘが０か否か（すなわち、前回までのデータ受信中の端末装置が、前回までのポイント・ポーリングにおいて、無応答処理または誤応答処理がなされたか否か、つまり、ＲＡＭ１６にアドレス別に記憶されているｆｘが０であるか否か）を判別する（Ｓ４２３）。前回において、上記異常が検出されていない場合（すなわちｆｘが０である場合）（Ｓ４２３）、受信禁止状態となる（Ｓ４２４）。
【０１７０】
一方、上記異常が検出されている場合（すなわち伝送異常検出変数ｆｘが０でない場合）（Ｓ４２３）、伝送異常検出変数ｆｘを０にリセットする（Ｓ４３８）。したがって、無応答処理や誤応答処理といった伝送異常検出が連続して３回行われなければ、異常表示がされない（伝送異常であるとの表示がされない）。なお、「０」になった伝送異常検出変数ｆｘは、アドレス別にＲＡＭ１６に格納される。
【０１７１】
つまり、上記実施例は、火災感知器、中継器、発信機または被制御機器等の複数の端末装置が受信部に接続される防災設備において、端末装置に、無応答処理、誤応答処理等の伝送異常が発生した場合に、上記伝送異常を検出する伝送異常検出手段と、伝送異常の検出回数を記憶する記憶手段と、上記記憶手段に記憶されている検出回数が所定回数以上になると、伝送異常が発生したことを表示する伝送異常表示手段とを有する防災設備である。また、上記実施例は、火災感知器、中継器、発信機または被制御機器等の複数の端末装置が受信部に接続される防災設備において、端末装置に伝送異常が発生した場合でも、ポーリングを続行する防災設備である。
【０１７２】
このように構成することによって、ポイント・ポーリングを実行中に無応答処理、誤応答処理等の伝送異常が発生しても、ポイント・ポーリングを続行することができるので、伝送異常が発生した場合、防災設備に属する端末装置に対して行うポーリングの全体の所要時間が増大することを阻止することができる。
【０１７３】
次に、「発信機検出フレーム」の動作（主にＳ４２７〜Ｓ４３３の動作）について説明する。
【０１７４】
マイクロプロセッサＭＰＵ１は、管理タイマＴｓｌｔが発信機スロット開始時刻Ｔｐを示しているか否かを判別する（Ｓ４２７）。管理タイマＴｓｌｔが、発信機スロット開始時刻Ｔｐを示している場合（Ｓ４２７）、発信機検出フレームを開始し、受信イネーブル状態（受信可能状態）にし（Ｓ４２８）、発信機呼出パルスＰＣを信号送受信部ＴＲＸ１から送出する（Ｓ４２９）。
【０１７５】
なお、発信機呼出パルスＰＣは、発信機Ｐが火災受信機ＲＥに返送する返送信号のスタートビットを兼ねている。また、発信機呼出パルスＰＣは、当該グループ内の発信機Ｐだけでなく、全てのグループに属する全ての発信機Ｐを呼び出す呼び出しパルスである。したがって、全グループに属する発報中の発信機ＰのアドレスＡＤｐを、火災受信機ＲＥが収集することができる。
【０１７６】
次に、第３所定時間Ｔ３内に発報中の発信機Ｐから、当該発信機ＰのアドレスＡＤｐを受信した場合（Ｓ４３０、Ｓ４３９）、ＲＡＭ１５に当該アドレスＡＤｐを格納し（Ｓ４３１）、発信機Ｐが発報した旨と、当該発信機Ｐのアドレスとを、火災受信機ＲＥに表示し（Ｓ４３２）、コマンド（グループ指定コード）ＣＭ２を１インクリメントし、ＲＡＭ１４３に格納する（Ｓ４３３）。この場合、古いグループ指定コードＣＭ２についての記憶は消去される。なお、「第３所定時間Ｔ３」は、発信機スロット開始時刻Ｔｐから発信機スロット終了時刻Ｔｅｐまでの時間であり、第３所定時間Ｔ３を越えたか否かを、管理タイマＴｓｌｔが判別する。
【０１７７】
一方、上記管理タイマＴｓｌｔが、発信機スロット終了時刻Ｔｅｐに満たないと判別した場合（Ｓ４３９）、発信機スロット終了時刻Ｔｅｐになるまで、管理タイマＴｓｌｔが待つ（Ｓ４３０）。
【０１７８】
また、発報中の発信機Ｐから当該発信機ＰのアドレスＡＤｐを、第３所定時間Ｔ３が経過するまで、火災受信機ＲＥが受信しない場合には（Ｓ４３０、Ｓ４３９）、上記と同様に、グループ指定コードＣＭ２を１インクリメントし、ＲＡＭ１４３に格納する（Ｓ４３３）。このときに、古いグループ指定コードＣＭ２についての記憶が消去される。
【０１７９】
なお、上記ステップＳ４３３において、グループ指定コードが最終グループ番号である場合、最初のグループ番号に戻る。
【０１８０】
このようにして、全グループに属する全ての発報中の発信機ＰのアドレスＡＤｐは、発報発信機Ｐアドレス情報として、発信機スロットの間に火災受信機ＲＥに返送され、火災受信機ＲＥに収集される。そして、グループ指定コード（コマンド）ＣＭ２を１インクリメントし（Ｓ４３３）、火災受信機ＲＥが端末装置に対して何も行わない第２ウェイティングフィールドＷＦ２（図示せず）を経過した後、マイクロプロセッサＭＰＵ１は、図９に示すステップＳ２に戻り、セレクティング命令とシステムポーリング命令とがない場合（Ｓ２、Ｓ３）、次のグループ番号１のグループについて、グループ情報収集フレームを含むポイント・ポーリングを行う。
【０１８１】
なお、上記第２ウェイティングフィールドＷＦ２において、各端末装置から返送される返送データＤ１と二次サムチェックコードＳＳとの返送時期のばらつきを吸収するために、信号伝送上の冗長性をもたせる。この信号伝送上の冗長性によって、端末装置の処理を軽減することができ、また、伝送のバイトフレームの同期をとることができる。
【０１８２】
そして、グループ番号２、３、……、１５のそれぞれのグループについて、順次、「グループ情報収集フレーム」と「発信機検出フレーム」とで構成されるポイント・ポーリングが終了した後、図示しない、状態情報返送命令（ＣＭ１＝０１ｈ）の代わりに、種別情報ＩＤ返送命令（ＣＭ１＝００ｈ）を、アドレスＡＤ、コマンドＣＭ２とともに、火災受信機ＲＥから送出することによって、グループ番号０、１、２、３、……、１５のそれぞれのグループについて、順次、種別情報ＩＤを収集する「グループ情報収集フレーム」と「発信機検出フレーム」とで構成されるポイント・ポーリングを実行する。
【０１８３】
このときにおけるポイント・ポーリングの動作は、返送データＤ１として状態情報を送る代わりに種別情報ＩＤを送る点を除いて、基本的には、状態情報を収集する「グループ情報収集フレーム」を含むポイント・ポーリングの動作と同様である。そして、このポイント・ポーリングが終了した後、以下、状態情報を収集する「グループ情報収集フレーム」と「発信機検出フレーム」とで構成されるポイント・ポーリングと、種別情報ＩＤを収集する「グループ情報収集フレーム」と「発信機検出フレーム」とで構成されるポイント・ポーリングとを交互に繰り返す。
【０１８４】
なお、上記実施例においては、伝送フレーム長管理タイマＴｆを火災受信機ＲＥに設け、ステップＳ２に先立って伝送フレーム長管理タイマＴｆを始動させ、伝送フレーム長管理タイマＴｆがオーバーフローする前に、ステップＳ４３３までの動作を実行し、または、第２ウェイティングフィールドＷＦ２が終了しない場合には、ポイント・ポーリングを実施中のグループにおける当該ポイント・ポーリングを強制的に終了し、グループ指定コードＣＭ２を１インクリメントし、次のグループについてポイント・ポーリングを開始するようにしてもよい。
【０１８５】
このような上記動作を通じて、グループＧ０〜Ｇ１５に属する各端末装置の状態情報がグループ毎に収集される。そして、これら収集したデータに基づいて、火災受信機ＲＥは、異常等を検出した端末装置を検出することができる。
【０１８６】
なお、上記動作説明では、状態情報を収集する「グループ情報収集フレーム」と「発信機検出フレーム」とで構成されるポイント・ポーリングと、種別情報ＩＤを収集する「グループ情報収集フレーム」と「発信機検出フレーム」とで構成されるポイント・ポーリングとを交互に繰り返すようにしている。しかし、常時は、状態情報を収集する「グループ情報収集フレーム」と「発信機検出フレーム」とで構成されるポイント・ポーリングを実行し、操作部ＯＰから種別情報ＩＤを収集する「グループ情報収集フレーム」と「発信機検出フレーム」とで構成されるポイント・ポーリングを行う旨の命令をオペレータが火災受信機ＲＥに入力した場合にのみ、種別情報ＩＤを収集する「グループ情報収集フレーム」と「発信機検出フレーム」とで構成されるポイント・ポーリングを行い、全ての端末装置についての種別情報ＩＤを収集し、その後再び、状態情報を収集する「グループ情報収集フレーム」と「発信機検出フレーム」とで構成されるポイント・ポーリングを行うルーチンに戻るようにしてもよい。
【０１８７】
また、種別情報ＩＤを収集する「ポイント・ポーリング」においては、発信機検出フレームを省略するようにしてもよい。
【０１８８】
図１３は、上記実施例において、操作部ＯＰからシステムポーリングを行う旨の命令をオペレータが火災受信機ＲＥに入力した場合（Ｓ５）の具体例を示すフローチャートである。
【０１８９】
操作部ＯＰから入力命令があった場合（Ｓ５）、システムポーリングでＲＡＭ１７１とＲＡＭ１７２とに、アドレスＡＤとコマンドＣＭ１とを格納し（Ｓ５０１、Ｓ５０２）、当該アドレスＡＤと当該コマンドＣＭ１とを加算することによって一次サムチェックコードＰＳを得る（Ｓ５０３）。そして、この一次サムチェックコードＰＳをＲＡＭ１７３に格納する（Ｓ５０４）。
【０１９０】
次に、ＲＡＭ１７１〜ＲＡＭ１７３に格納されているアドレスＡＤと、コマンドＣＭ１と、一次サムチェックコードＰＳとを、信号送受信部ＴＲＸ１から順次、送出し（Ｓ５０５）、上記アドレスＡＤと上記コマンドＣＭ１と上記一次サムチェックコードＰＳとを、再送されることを防止するために、ＲＡＭ１７から消去する（Ｓ５０６）。そして、図９のステップＳ２に戻る。
【０１９１】
なお、上記実施例では、アドレスＡＤとコマンドＣＭ１と一次サムチェックコードＰＳとを火災受信機ＲＥから送出したまま、端末装置からは何も応答しないようにしているが、火災受信機ＲＥから送出された上記コマンドＣＭ１を受信したことを知らせる応答信号Ｄ１と、端末装置から火災受信機ＲＥへの伝送が正常に行われたか否かを確認するためのニ次サムチェックコードＳＳとを、図１０〜１２に示したポイント・ポーリングの場合と同様に、端末装置から火災受信機ＲＥに送信するようにしてもよい。
【０１９２】
図１４と図１５とは、上記実施例において、操作部ＯＰからセレクティングを行う旨の命令を、オペレータが火災受信機ＲＥに入力した場合（Ｓ６）における具体例を示すフローチャートである。
【０１９３】
操作部ＯＰから入力命令があった場合（Ｓ６）、ＲＡＭ１８１、ＲＡＭ１８２から、セレクティングにおけるアドレスＡＤとコマンドＣＭ１とを格納し（Ｓ６０１、Ｓ６０２）、当該アドレスＡＤと当該コマンドＣＭ１とを加算することによって、一次サムチェックコードＰＳを得る（Ｓ６０３）。この一次サムチェックコードＰＳを、ＲＡＭ１８３に格納する（Ｓ６０４）。そして、ＲＡＭ１８１〜ＲＡＭ１８３に格納されているアドレスＡＤと、コマンドＣＭ１と、一次サムチェックコードＰＳとを信号送受信部ＴＲＸ１から順次、送出する（Ｓ６０５）。
【０１９４】
次に、管理タイマＴｓｌｔをスタートさせ（Ｓ６０６）、また、当該管理タイマＴｓｌｔが、グループ内端末番号がｍである端末装置から返送される端末装置の自己アドレスＤＡと、返送データＤａと、ニ次サムチェックコードＳＳとを受信するためのスロットの開始時刻Ｔ４になっているか否かを判別する（Ｓ６０７）。当該管理タイマＴｓｌｔが、上記スロットの開始時刻Ｔ４となっている場合（Ｓ６０７）、受信イネーブル状態（受信可能状態）となる（Ｓ６０８）。
【０１９５】
一方、当該管理タイマＴｓｌｔが、上記スロット開始時刻Ｔ４になっていない場合（Ｓ６０８）、当該管理タイマＴｓｌｔが、上記スロット開始時刻Ｔ４を示すまで待つ（Ｓ６０９のＮ）。また、当該管理タイマＴｓｌｔが、上記スロット開始時刻Ｔ４を示すまでは、火災受信機ＲＥは端末装置に対して何も行わない第１ウェイティングフィールドＷＦ１になる。所定時刻Ｔ５内に、端末装置から自己アドレス端末装置の自己アドレスＤＡを受信したら（Ｓ６０９、Ｓ６２３）、端末装置の自己アドレスＤＡをＲＡＭ１９１に格納する（Ｓ６１０）。なお、当該所定時刻Ｔ５を越えたか否かの判別は、上記管理タイマＴｓｌｔが行う。次に、所定時刻Ｔ６内に端末装置から返送データＤａを受信したら（Ｓ６１１、Ｓ６２４）、返送データＤａをＲＡＭ１９２に格納する（Ｓ６１２）。当該所定時刻Ｔ６を越えたか否かの判別も、当該管理タイマＴｓｌｔが行う。さらに、所定時刻Ｔ７内に、端末装置から二次サムチェックコードＳＳを受信したら（Ｓ６１３、Ｓ６２５）、二次サムチェックコードＳＳをＲＡＭ１９３に格納する（Ｓ６１４）。当該所定時刻Ｔ７を越えたか否かの判別も、当該管理タイマＴｓｌｔが行う。
【０１９６】
さらに、当該端末装置から火災受信機ＲＥへの伝送が正常に行われたか否かを判断するために、ＲＡＭ１９３に格納された二次サムチェックコードＳＳに基づき、サムチェックを行う。すなわち、ＲＡＭ１８１〜ＲＡＭ１８３、ＲＡＭ１９１とＲＡＭ１９２にそれぞれ格納されているアドレスＡＤと、コマンドＣＭ１と、一次サムチェックコードＰＳと、自己アドレス端末装置の自己アドレスＤＡ、返送データＤａとを読出し（Ｓ６１５〜Ｓ６１９）、アドレスＡＤとコマンドＣＭ１、一次サムチェックコードＰＳ、自己アドレス端末装置の自己アドレスＤＡ、返送データＤａを加算することによって二次演算コードＳＣ２を得る（Ｓ６２０）。
【０１９７】
そして、二次演算コードＳＣ２が、ＲＡＭ１９３に格納されている二次サムチェックコードＳＳと一致するか否かを判断する（Ｓ６２１）。サムチェックの結果が一致すれば、伝送が正常に行われたと判断できるので、（Ｓ６２１）、そのまま受信を禁止し（Ｓ６２２）、図９のＳ２へ戻る。
【０１９８】
また、所定時刻Ｔ５内に、アドレスＤＡを端末装置から受信しない場合（Ｓ６０９、Ｓ６２３）、無応答処理が行われる（火災受信機ＲＥの表示部ＤＰに、無応答であるとの異常表示が行われる）（Ｓ６２６）。
【０１９９】
また、所定時刻Ｔ６内に、端末装置から返送データＤａを受信しない場合（Ｓ６２４）、または、所定時刻Ｔ７内に端末装置から二次サムチェックコードＳＳを受信しない場合（Ｓ６２５）にも、無応答処理が行われる（火災受信機ＲＥの表示部ＤＰに、伝送異常であるとの異常表示が行われる）（Ｓ６２６）。
【０２００】
さらに、二次演算コードＳＣ２がニ次サムチェックコードＳＳと一致しない場合（サムチェックの結果が不一致である場合）（Ｓ６２１）、誤応答処理が行われる（火災受信機ＲＥの表示部ＤＰに、伝送異常であるとの異常表示が行われる）（Ｓ６２７）。
【０２０１】
なお、無応答処理（Ｓ６２６）、または、誤応答処理（Ｓ６２７）を行った場合にも、受信を禁止し（Ｓ６２２）、リターンする。
【０２０２】
図１６は、上記実施例における端末装置の一例としての中継器ＲＰのメインフローチャートを示す図である。
【０２０３】
まず、初期設定を行い（Ｕ１）、自己の有するグループ内端末番号から返送タイミング（情報返送開始時刻Ｔｄｍ）を算出する（Ｕ２）。受信信号があった場合（Ｕ３）、アドレスＡＤ、コマンドＣＭ１、ＣＭ２、一次サムチェックコードＰＳをそれぞれＲＡＭ３４１〜ＲＡＭ３４４に格納する（Ｕ４〜Ｕ７）。
【０２０４】
次に、ＲＡＭ３４１〜ＲＡＭ３４３のアドレスＡＤと、コマンドＣＭ１と、ＣＭ２との各コードを加算することによって、一次演算コードＳＣ３を得る（Ｕ８）。この一次演算コードＳＣ３と、一次サムチェックコードＰＳとが一致するか否かを判断し（Ｕ９）、この受信した信号についてのサムチェックの結果が一致すれば（Ｕ９）、伝送が正常に行われたので、アドレスＡＤの内容がポーリング命令であるか否かを判別し（Ｕ１０）、ポーリング命令である場合には、コマンドＣＭ１の内容がポイント処理命令であるか否かを判別する（Ｕ１１）。ここで、ポイント処理命令である場合（ＣＭ１＝０Ｘｈ）には、ポイント処理を行う（Ｕ１２）。
【０２０５】
また、ポーリング命令でないと判別した場合（ＡＤ≠ＦＦ）には（Ｕ１０）、セレクティング処理を行う（Ｕ１４）。
【０２０６】
一方、コマンドＣＭ１の命令がポイント処理命令でないと判別した場合（ＣＭ１≠０Ｘｈ）（Ｕ１１）、システム処理を行う（Ｕ１３）。
【０２０７】
なお、受信信号のない場合には（Ｕ３）、状態情報の収集を行い（Ｕ１５）、得られた状態情報をＲＡＭ３２に格納する。このとき、ＲＡＭ３２には、たとえば直前の５回分のデータが既に格納され、そのうちの一番古い状態情報が消去される（Ｕ１６、Ｕ１７）。
【０２０８】
ここで、オンオフ式火災感知器Ｆやガス漏れ検出器Ｇが中継器に接続されている場合には、火災信号やガス漏れ信号の有無を中継器が検出することによって、また、防火戸Ｄが接続されている場合には開状態を示す開状態信号と閉状態を示す閉状態信号とを中継器が検出することによって、また、地区ベルＢが接続されている場合には  鳴動状態を示す鳴動状態信号を中継器が検出することによって、状態情報の収集が行われる。なお、光電式火災感知器Ｓ等の火災感知器と発信機Ｐとにおいても、上記動作と同様に動作する。
【０２０９】
また、システムポーリング、セレクティングのように、火災受信機ＲＥからコマンドＣＭ２が送出されない場合にも、ステップＵ６を実行しない点を除いて、上記動作と基本的には同じ動作が行われる。
【０２１０】
ところで、上記サムチェックを行う場合、各コードを加算するが、コード体系によっては、互いに異なるべきサムチェック同士が偶然一致する場合がある。たとえば、２つの端末機器に付与されているアドレスが重複した場合には、互いに異なるべきサムチェック同士が偶然一致する。
【０２１１】
つまり、互いに異なる端末機器ではあるがそれらのアドレスが同一である場合、アドレスが同一であるので、同一のタイミングで返送データが受信機に送出される。この場合、返送データの内容が互いに同一であれば、問題がないが、返送データＤ１の内容が互いに異なると、問題になる。
【０２１２】
すなわち、返送データＤ１のビット０を火災ビットとして設定し、火災時にビット０を「１」にセットし、非火災時にビット０を「０」にセットする場合、信号線Ｌ上では、「１」と「０」とが衝突すると、「０」になる。ここで、同一アドレスが付与されている一方の端末機器が火災を検出し、他方の端末機器が非火災を検出すると、上記一方の端末機器のビット０が「１」を送出し、上記他方の端末機器のビット０が「０」を送出するが、信号線Ｌ上では「１」と「０」とが衝突すると「０」になるので、火災受信機ＲＥは、返送データ中のビット０として「０」を受信し、同一アドレスが付与されている端末機器が非火災を検出したと判断する。したがって、同一アドレスが付与されている２つの端末機器の一方のみが火災を検出しても、火災受信機ＲＥには火災情報が到達しない。
【０２１３】
そこで、同一アドレスが付与されている２つの端末機器の一方のみが火災を検出したときに、火災受信機ＲＥに火災情報がかならず到達するようにするためには、返送信号を反転させ、この反転信号を信号線Ｌに送り出し、火災受信機ＲＥで再反転するようにすればよい。
【０２１４】
すなわち、上記実施例は、火災感知器、中継器、発信機または被制御機器を含む複数の端末装置と火災受信機とが信号線を介して結ばれ、上記端末装置を上記火災受信機がポーリングすることによって、上記端末装置から所定の端末情報を読み込み、判別し、表示し、または上記端末装置を制御する防災設備において、火災受信機と信号線との接続部に設けられている第１の信号反転手段と、端末装置と信号線との接続部に設けられている第２の信号反転手段とを有するものである。
【０２１５】
また、上記実施例は、端末装置に伝送すべきアドレスコードと命令コードとを加算して１次加算コードを作成する１次加算コード作成手段と、アドレスコードと命令コードと１次加算コードとを送出する第１の送出手段とを、火災受信機が有し、火災受信機から受信したアドレスコードと命令コードとを加算して第１加算コードを作成する第１加算コード作成手段と、第１加算コードと、火災受信機から受信した１次加算コードとが一致していることを判別する第１判別手段と、第１加算コードと１次加算コードとが一致したときに、火災受信機に返送する返送データと火災受信機から受信したアドレスコードと命令コードと１次加算コードとを加算して２次加算コードを作成する２次加算コード作成手段と、返送データと２次加算コードとを火災受信機に送出する第２送出手段とを、端末装置が有し、さらに、端末装置から受信した返送データと端末装置に伝送すべきアドレスコードと命令コードと１次加算コードとを加算して第２加算コードを作成する第２加算コード作成手段と、第２加算コードと端末装置から受信した２次加算コードとが一致しているか否かを判別する第２判別手段とを、火災受信機が有する防災設備である。
【０２１６】
さらに、上記実施例において、２次加算コード、第２加算コードを作成する場合、１次加算コードをその加算対象に含めないように変形してもよい。つまり、その変形例は、端末装置に伝送すべきアドレスコードと命令コードとを加算して１次加算コードを作成する１次加算コード作成手段と、アドレスコードと命令コードと１次加算コードとを送出する第１の送出手段とを、火災受信機が有し、火災受信機から受信したアドレスコードと命令コードとを加算して第１加算コードを作成する第１加算コード作成手段と、第１加算コードと、火災受信機から受信した１次加算コードとが一致していることを判別する第１判別手段と、第１加算コードと１次加算コードとが一致したときに、火災受信機に返送する返送データと火災受信機から受信したアドレスコードと命令コードとを加算して２次加算コードを作成する２次加算コード作成手段と、返送データと２次加算コードとを火災受信機に送出する第２送出手段とを、端末装置が有し、さらに、端末装置から受信した返送データと端末装置に伝送すべきアドレスコードと命令コードとを加算して第２加算コードを作成する第２加算コード作成手段と、第２加算コードと端末装置から受信した２次加算コードとが一致しているか否かを判別する第２判別手段とを、火災受信機が有する防災設備である。
【０２１７】
なお、アドレスＡＤ、ＤＡは、上記アドレスコードの例であり、コマンドＣＭ１、ＣＭ２は、上記命令コードの例であり、返送データＤ１、Ｄａは、上記返送データの例である。
【０２１８】
図１７は、上記実施例において、中継器ＲＰにおけるポイント処理の動作を示すフローチャートである。
【０２１９】
ここで、マイクロプロセッサＭＰＵ３は、自己の属するグループが呼び出されたか否かを判別し（Ｕ１０１）、具体的には、自己のグループ番号とコマンドＣＭ２の下位桁とが一致したと判別した場合（Ｕ１０１）、自己の属するグループを指定していると判断し、自己の有する状態情報を火災受信機ＲＥに返送すべく、以下の動作を行う。
【０２２０】
まず、ポイント処理の内容を判別するために、受信したコマンドＣＭ１が状態情報返送命令であるか否かを判別し（Ｕ１０２）、状態情報返送命令である場合には、ＲＡＭ３２から現在の状態情報を読出し、この状態情報を返送データＤ１としてＲＡＭ３５１に格納する（Ｕ１０３）。そして、返送タイミング管理タイマＴｄを起動する（Ｕ１０４）。なお、タイマＴｄが既に起動している場合には（Ｕ１０４）、タイマＴｄをクリアーして再スタートさせることによって、リセットする。
【０２２１】
次に、タイマＴｄが情報返送開始時刻Ｔｄｍを示しているか否かを判別する（Ｕ１０５）。ここで、情報返送開始時刻Ｔｄｍ中の小文字ｍは、グループ内端末番号を示す。タイマＴｄが、情報返送開始時刻Ｔｄｍを示してい場合（Ｕ１０５）、ＲＡＭ３４１〜ＲＡＭ３４４、ＲＡＭ３５１にそれぞれ格納されているアドレスＡＤ、コマンドＣＭ１、コマンドＣＭ２、一次サムチェックコードＰＳ、返送データＤ１の各コードを読み出し（Ｕ１０６〜Ｕ１１０）、当該アドレスＡＤ、コマンドＣＭ１、コマンドＣＭ２、一次サムチェックコードＰＳ、返送データＤ１の各コードを加算することによって、ニ次サムチェックコードＳＳを得、ＲＡＭ３５２に格納する（Ｕ１１１）。そして、ＲＡＭ３５１、ＲＡＭ３５２に格納されている返送データＤ１とニ次サムチェックコードＳＳとを信号送受信部ＴＲＸ１から順次、送出する（Ｕ１１３）。
【０２２２】
一方、マイクロプロセッサＭＰＵ３が自己のグループ番号とコマンドＣＭ２の下位桁とが一致しないと判別した場合（Ｕ１０１）、自己の属するグループを指定していないと判断し、リターンし、ポイント処理を行わない。
【０２２３】
一方、受信した信号が状態情報返送命令でなかった場合（ＣＭ１≠０１ｈ）（すなわち種別情報ＩＤ返送命令（ＣＭ１＝００ｈ）である場合）には（Ｕ１０２）、ＲＯＭ３２に格納されている自己の種別情報ＩＤを読出し、ＲＡＭ３５１に格納する。そして、以下、ステップＵ１０４〜Ｕ１１３を実行する。なお、状態情報を返送する代わりに自己の種別情報ＩＤを返送データＤ１として火災受信機ＲＥに送出する点を除いて、ステップＵ１０４〜Ｕ１１３の動作は、基本的には、上記の場合と同様である。
【０２２４】
さらに、タイマＴｄが情報返送開始時刻Ｔｄｍを示していないと判別した場合（Ｕ１０５）には、情報返送開始時刻Ｔｄｍになるまで待つ。
【０２２５】
なお、ステップＵ１０２〜Ｕ１０５において、火災受信機ＲＥ側が端末装置に対して何も行わない第１ウェイティングフィールドＷＦ１になっており（Ｓ４０９）、したがって、中継器ＲＰは自己に接続されているオンオフ式火災感知器Ｆ等から得た火災信号等のデータ解析を好条件で実行することができる。
【０２２６】
なお、上記実施例においては、端末装置の一例として中継器ＲＰを取り上げ、そのポイント処理について示したが、端末装置が他の光電式火災感知器や熱式火災感知器等の火災感知器であっても、その場合におけるポイント処理動作は、基本的には、中継器ＲＰにおけるポイント処理動作と同様である。すなわち、端末装置がたとえば光電式火災感知器Ｓである場合、クロック発生源からのクロックパルスの発生によって発光回路ＬＤＣに接続されている発光ダイオードＬＤが周期的に発光し、受光回路ＰＤＣに接続されているホトダイオードＰＤが当該発光光のうちで煙によって散乱された光を受光し、煙濃度を検出することによって、状態情報を収集する点を除いて、基本的には、中継器ＲＰの場合に実行されるポイント処理動作と同様である。
【０２２７】
また、上記実施例において、自己のグループ内端末番号ｍから、情報返送開始時刻Ｔｄｍが算出され（Ｕ２）、各端末装置のグループ内端末番号ｍが大きくなればなる程（すなわち火災受信機ＲＥから端末装置までの距離が長くなる程）、情報返送開始時刻Ｔｄｍは遅くなるように設定されている。
【０２２８】
なお、情報返送開始時刻Ｔｄｍを算出する場合、、たとえば当該端末装置の所定のＲＯＭに、グループ内端末番号ｍと情報返送情報とのテーブルを予め格納し、自己のグループ内端末番号ｍに基づいて、対応する情報返送開始時刻を求めるようにすればよい。また、情報返送開始時刻Ｔｄｍは、火災受信機ＲＥが生成するグループ内端末番号ｍ用のスロットの開始時刻と同じ時刻である。この情報返送開始時刻Ｔｄｍに基づいて、各端末装置に対応して設けられた各スロットに応じて、各端末装置の状態情報が順次、火災受信機ＲＥに返送される。
【０２２９】
図１８と図１９とは、上記実施例において、端末装置の一例としての発信機Ｐにおけるポイント処理の動作を示すフローチャートである。
【０２３０】
まず、初期設定を行い（Ｕ２０１）、図１７に示してあるステップＵ１０１〜Ｕ１１３のグループ情報収集フレームに対する応答を実行する（Ｕ２０２）。そして、所定時刻Ｔ１ａ内に（Ｕ２１７）、各発信機Ｐが発報中であるか否かを、押しボタンＳＷが押されているか否かによって、各発信機Ｐが判別する（Ｕ２０３）。すなわち、所定時刻Ｔ１ａ内に押しボタンＳＷが押され、発報中と判別した場合（Ｕ２０３、Ｕ２１７）、火災受信機ＲＥが生成した発信機スロットを、所定時刻Ｔ２ａ内に各発信機Ｐが検出したか否かを判断する（Ｕ２０４）。
【０２３１】
一方、当該所定時刻Ｔ１ａを経過しても押しボタンＳＷが押されず、発報していないと判別した場合（Ｕ２０３、Ｕ２１７）にはリターンする。なお、作業領域用のＲＡＭ４１に設けられたタイマによって、当該所定時刻Ｔ１ａが経過したか否かが判別され、上記タイマは、上記初期設定とともに起動され、その初期設定時に既に起動している場合には、当該設定時にクリアーし再スタートさせることによってリセットされる。また、下記所定時刻Ｔ２ａ、Ｔ３ａについても、所定時刻Ｔ１ａの場合と同様である。
【０２３２】
そして、火災受信機ＲＥによって生成される発信機スロットを、各発信機Ｐが所定時刻Ｔ２ａ内に検出した場合（Ｕ２０４、Ｕ２１８）、送信ビット数カウンタの値ｂ（１０進数で示す）に「７」をセットする（Ｕ２０５）。そして、「アドレスＡＤ．ｂ」は、発信機Ｐのアドレスの最下位ビットからｂビットだけ上位の数を示す。したがって、たとえば、ｂ＝０である場合、アドレスＡＤ．ｂは最下位のビットを示し、ｂ＝７である場合、アドレスＡＤ．ｂは最上位ビットを示す。なお、上記のように、各発信機Ｐのアドレスは、８ビットの２進数で示される。
【０２３３】
そして、火災受信機ＲＥから送出された発信機呼出パルスを、所定時間Ｔ３ａ内に発信機Ｐが検出した場合（Ｕ２０６、Ｕ２１９）、ビットタイマＴｂを起動させる（Ｕ２０７）。なお、ここで、図示しないが、前回のポイント・ポーリングで自己のアドレスを送出したか否かを判別し、送出していた場合にはリターンする。これは、火災受信機ＲＥがポイント・ポーリングを繰り返すことによって発報している発信機Ｐを、アドレスの小さい順に逐次火災受信機ＲＥが検出できるようにするためである。その後、当該タイマＴｂが所定時間経過した場合（Ｕ２０８）、アドレスＡＤ．ｂを送信しタイマをスタートさせる（Ｕ２０９）。
【０２３４】
なお、タイマＴｂが所定時間経過していない場合（Ｕ２０８）には、そのまま待つ。ここでいう所定時間は、発信機呼出パルスの幅分の時間である。この所定時間は、火災受信機ＲＥからの発信機呼出パルスと、発信機Ｐからのアドレス送信信号とが重複しないように設けられている時間である。したがって、上記所定時間には、たとえば１ビットに相当する時間（たとえば１／２４００秒）が採用されている。一方、火災受信機ＲＥから送出された発信機検出パルスを、各発信機Ｐが所定時間Ｔ３ａ内に検出しない場合（Ｕ２０６、Ｕ２１９）には、リターンする。
【０２３５】
一方、各発信機Ｐが発信機スロットを検出しない場合（Ｕ２０４、Ｕ２１８）にはリターンする。ここで、上記グループ情報収集フレームにおけるデータ返送用のスロットが全て終了したことを発信機Ｐが判別することによって、発信機スロットの検出が行われる。
【０２３６】
そして、発信機ＰのアドレスＡＤｐ（アドレスＡＤｐはＲＡＭ４４に記憶されている）の最下位ビットからｂビットだけ上位のビットを送出するとともに、再度タイマＴｂを起動させ（Ｕ２０９）、発信機Ｐから送出されるアドレスＡＤｐの最下位ビットからｂビットだけ上位のビットが１である場合（Ｕ２１０、Ｕ２１１）、信号線の状態が０であるか１であるかを、所定時間内にわたり監視し、判別する（Ｕ２１４）。すなわち、当該発信機Ｐは、他の発信機Ｐからも送出されるアドレスの最下位ビットからｂビットだけ上位のビットが０であるか１であるかを所定時間内にわたり監視し、判別する。
【０２３７】
ここで、信号線の状態が１のまま、上記所定時間を経過した場合（Ｕ２１４、Ｕ２１５）、ｂの値を１ディクリメントする（Ｕ２１２）。一方、上記所定時間内に信号線Ｌの状態が０になった場合（すなわち自分よりも小さいアドレスを有する発信機Ｐが発信中である場合）には、他の発信機Ｐがアドレス送信中であると判別し（Ｕ２１４）、当該発信機Ｐに対して発信機アドレスの送信を強制的に終了する（Ｕ２１６）。なお、上記所定時間には、たとえば、発信機Ｐが送出するアドレス送信信号の１ビット幅の時間（たとえば１／２４００秒）が採用されている。このアドレス送信信号の１ビット幅の時間は、各発信機Ｐからアドレスとして送出される８ビットで表される２進数の各位の数を逐次比較するための時間である。
【０２３８】
なお、当該発信機Ｐから送出されるアドレスの最下位ビットからｂビットだけ上位のビットが「０」である場合（Ｕ２１０）、タイマＴｂがオーバーフローするまで所定時間待ち（Ｕ２１１）、ｂの値を１デクリメントする（Ｕ２１２）。ここで、このように待ち時間を設けたのは、発信機Ｐからのアドレス送信信号の１ビット分と、同じ発信機Ｐから次に送出されるアドレス送信信号の１ビット分とが、重複しないようにするためである。
【０２３９】
そして、ｂが０以上であれば（Ｕ２１３）、発信機ＰのアドレスＡＤｐの各位のビット全てを送出していないので、上記動作（Ｕ２０９〜Ｕ２１３）を繰り返す。一方、ｂが０未満であれば（Ｕ２１３）、発信機ＰのアドレスＡＤｐの各位のビット全てを送出したので、送信を終了する。
【０２４０】
上記動作（Ｕ２０９〜Ｕ２１３までのルーチン）を繰り返すことによって、発信機ＰのアドレスＡＤｐの各位のビットは、上位から逐次送出され、また、発信機Ｐが、ビット単位で送信データと受信データとを比較し、アクティブレベルを送信しているにもかかわらず、非アクティブレベルを受信した発信機Ｐが送信を中止し、最終的に、火災受信機ＲＥは、１つの発信機のみのアドレスを発報発信機Ｐアドレス情報として得ることができる。
【０２４１】
なお、上記グループ情報収集フレームについて説明したように、１つの発信機Ｐが自己の発信機Ｐのアドレスの送出を終了した後にチェックコードを送出し、これによって、伝送が正常に行われたか否かを火災受信機ＲＥが確認できるようにしてもよい。
【０２４２】
なお、上記実施例では、１つのグループに属する端末装置の数を１６台として設定したが、１６台以外の台数を設定してもよく、また、グループの数を１６としたが、１６以外にグループ分けしてもよい。
【０２４３】
また、個々の端末装置にアドレスを付与する場合、２桁の数を用いて、上記のように表現する代わりに、下位桁をグループ番号、上位桁を各グループ内端末番号となるように、２桁の１６進数を用いて表示してもよく、また、全ての端末装置を特定できるのであれば、２桁に限定せず、複数の端末装置それぞれに複数の桁数で表示されるアドレスを付与し、アドレス中の数桁によって、グループ番号を表示し、残りの桁によって、各グループ内端末番号を表示するようにしてもよい。
【０２４４】
なお、上記実施例において、複数の発信機Ｐが発報した場合、発報した各発信機Ｐの８ビットの２進数として表されるアドレスの各位の数の大小を、最上位から順に比較することによって、発報した発信機Ｐのアドレスのうちで最小のアドレスを優先させて、火災発信機ＰＲＥに送出するようにしているが、このようにする代わりに、アドレスの最下位ビットから順に比較するようにしてもよい。つまり、発信機Ｐが自己のアドレスを下位のビットから順次、送出し、発報した各発信機Ｐの８ビットの２進数として表されるアドレスの各位の数の大小を、最下位ビットから順に比較することによって、発報した発信機Ｐのうちの１つの発信機Ｐのアドレスを、優先的に火災受信機ＲＥに送出するようにしてもよい。
【０２４５】
図２０は、上記実施例において、端末装置の一例としての中継器ＲＰのシステム処理の動作（Ｕ１３）を示すフローチャートである。
【０２４６】
なお、システム処理（Ｕ１３）に入る前に、ＲＡＭ３４１、ＲＡＭ３４２、ＲＡＭ３４４にそれぞれ格納されているアドレスＡＤ、コマンドＣＭ１、一次サムチェックコードＰＳを、それぞれＲＡＭ３６１、ＲＡＭ３６２、ＲＡＭ３６３に移す。
【０２４７】
まず、マイクロプロセッサＭＰＵ３が受信したコマンドＣＭ１が火災復旧命令である場合（Ｕ３０１）、火災信号受信回路ＦＳＲと、地区音響制御回路ＬＡＣ等を復旧し、リターンする。一方、火災復旧命令でなく（Ｕ３０１）、コマンドＣＭ１が蓄積復旧命令である場合（Ｕ３０３）、火災信号受信回路ＦＳＲを復旧し（Ｕ３０４）、リターンする。また、蓄積復旧命令でなく（Ｕ３０３）、コマンドＣＭ１が地区音響停止命令である場合（Ｕ３０５）、地区音響制御回路ＬＡＣをオフ制御し（Ｕ３０６）、リターンする。地区音響停止命令でなく（Ｕ３０５）、非常放送停止命令である場合（Ｕ３０７）、非常放送制御回路ＢＡＣをオフ制御し（Ｕ３０８）、リターンする。非常放送停止命令でなければ（Ｕ３０７）、リターンする。
【０２４８】
なお、地区音響停止命令と非常放送停止命令とによる制御を受けない点を除けば、光電式火災感知器Ｓ等の火災感知器におけるシステム処理の動作は、基本的には、中継器ＲＰについて既に説明したシステム処理の動作と同様である。また、蓄積復旧命令と地区音響停止命令と非常放送停止命令とによる制御を受けない点を除けば、発信機Ｐにおける動作は、基本的には、中継器ＲＰについて既に説明したシステム処理の動作と同様である。
【０２４９】
図２１、図２２は、上記実施例において、端末装置の一例としての中継器ＲＰにおけるセレクティング処理の具体的な動作（Ｕ１４）を示すフローチャートである。
【０２５０】
なお、セレクティング処理（Ｕ１４）に入る前に、ＲＡＭ３４１、ＲＡＭ３４２、ＲＡＭ３４４にそれぞれ格納されているアドレスＡＤ、コマンドＣＭ１、一次サムチェックコードＰＳを、それぞれＲＡＭ３７１、ＲＡＭ３７２、ＲＡＭ３７３に移す。
【０２５１】
まず、中継器ＲＰの自己アドレスと、受信したアドレスＡＤとが一致するか否かを、マイクロプロセッサＭＰＵ３が判別する（Ｕ４０１）。その自己アドレスと受信したアドレスＡＤとが一致した場合（Ｕ４０１）、当該中継器ＲＰを指定していると判断し、自己の有する状態情報を火災受信機ＲＥに返送すべく、以下の動作を行う。
【０２５２】
すなわち、セレクティング処理すべき内容を判別するために、受信した信号が種別情報返送命令（ＣＭ＝００ｈ）であるか否かを判別し（Ｕ４０２）、種別情報返送命令であれば（Ｕ４０２）、ＲＯＭ３２から種別情報ＩＤと自己アドレスとを読出し、それぞれＲＡＭ３８２とＲＡＭ３８１とに格納する（Ｕ４０３）。そして、ＲＡＭ３７１、ＲＡＭ３７２、ＲＡＭ３７３、ＲＡＭ３８１、ＲＡＭ３８２にそれぞれ格納されているアドレスＡＤ、コマンドＣＭ１、一次サムチェックコードＰＳ、自己アドレスＤＡ、返送データＤａを読み出し（Ｕ４１５〜Ｕ４１９）、アドレスＡＤと、コマンドＣＭ１と、一次サムチェックコードＰＳと、自己アドレスＤＡと、返送データＤａとの各コードを加算することによって、ニ次サムチェックコードＳＳを得（Ｕ４２０）、このニ次サムチェックコードＳＳをＲＡＭ３８３に格納する。そして、ＲＡＭ３８１、ＲＡＭ３８２、ＲＡＭ３８３に格納されている自己のアドレスＤＡ、返送データＤａ、ニ次サムチェックコードＳＳを、信号送受信部ＴＲＸ３から順次、送出する（Ｕ４２１）。
【０２５３】
一方、受信した信号が種別情報返送命令ではないと、マイクロプロセッサＭＰＵ３が判別し（Ｕ４０２）、受信した信号が状態情報返送命令（ＣＭ１＝０１ｈ）であれば（Ｕ４０４）、ＲＡＭ３２から状態情報を読出し、ＲＡＭ３８２に格納するとともに、図示しないＲＯＭ３２から自己アドレスを読出し、ＲＡＭ３８２に格納する（Ｕ４０５）。そして、以下、ステップＵ４１５〜Ｕ４２１を実行する。なお、自己の種別情報ＩＤの代わりに、当該状態情報を返送データＤａとして、火災受信機ＲＥに送出される点を除けば、Ｕ４１５〜Ｕ４２１の基本動作は、上記で説明した動作と同様である。
【０２５４】
一方、マイクロプロセッサＭＰＵ３が受信したコマンドＣＭ１が火災復旧命令であるか否かについて判別し（Ｕ４０６）、火災復旧命令である場合には（Ｕ４０６）、火災信号受信回路ＦＳＲ、地区音響制御回路ＬＡＣ等を復旧する（Ｕ４０７）。当該コマンドＣＭ１が、火災復旧命令でなく、蓄積復旧命令である場合（Ｕ４０８）、火災信号受信回路ＦＳＲを復旧する（Ｕ４０９）。当該コマンドＣＭ１が、蓄積復旧命令でなく、地区音響停止命令である場合（Ｕ４１０）、地区音響制御回路ＬＡＣをオフ制御する（Ｕ４１１）。当該コマンドＣＭ１が、地区音響停止命令でなく非常放送停止命令である場合（Ｕ４１２）、非常放送制御回路ＢＡＣをオフ制御する（Ｕ４１３）。当該コマンドＣＭ１が、非常放送停止命令ではない場合（Ｕ４１２）、リターンする。
【０２５５】
なお、上記実施例のポイントポーリングにおいて、コマンドＣＭ１によって、各種データのうち状態情報を返送するか種別情報ＩＤを返送するかの区別がされ、コマンドＣＭ２によって、グループが指定されるようにしてあるが、これとは逆に、コマンドＣＭ２によって、各種データのうちで状態情報を返送するか種別情報ＩＤを返送するかの区別がされ、コマンドＣＭ１によって、グループが指定されるようにしてもよい。
【０２５６】
また、上記実施例のシステムポーリングとセレクティングにおいては、コマンドＣＭ２を使用しないようにしているが、このようにする代りに、火災感知器の確認灯を消灯するための確認灯消灯命令を、火災受信機ＲＥが端末装置に送出するときに、確認灯を制御する命令としてコマンドＣＭ１を送出し、消灯する命令としてコマンドＣＭ２を送出し、順次、アドレスＡＤ、一次サムチェックコードＰＳを送出するようにしてもよい。
【０２５７】
さらに、上記実施例では、中継器ＲＰについてのセレクティングについて説明したが、光電式火災感知器Ｓ等の火災感知器の場合は、地区音響停止命令と非常放送停止命令による制御を受けない点、発信機Ｐの場合は、蓄積復旧命令、地区音響停止命令と非常放送停止命令による制御を受けない点を除けば、火災感知器、発信機Ｐのそれぞれにおけるセレクティングの動作は、上記中継器ＲＰについてのセレクティングの動作と、基本的には同様である。
【０２５８】
また、上記実施例のポイントポーリングにおいて、１つのグループに属する各端末装置から、順次、返送データＤ１と二次サムチェックコードＳＳとを受信するときに、状態情報または種別情報ＩＤを受信するための上記スロットの幅は、グループ内端末番号ｍが大きくなるに従って、広くなるように設定されている。たとえば、図２３ではグループ番号１のグループについて、ポイントポーリングが行われた場合のスロット幅について示してあるが、ｍ＝０ｈからｍ＝１０ｈになるに従って、スロットの幅が広くなるようにスロット幅を設定している。これは、火災受信機ＲＥや端末装置に用いられるＭＰＵ１、ＭＰＵ２、ＭＰＵ３、ＭＰＵ４の発振子の振動数は、製品に明示されている振動数に誤差が１％程度含まれており、この誤差を吸収するためである。つまり、各スロット幅に広がりを持たせることによって、各発振子の振動数の誤差による各端末装置から送出される各返送データＤ１と二次サムチェックコードＳＳとの授受のタイミングと、火災受信機ＲＥがそれらを受信するタイミングとのずれを吸収することができる。
【０２５９】
また、システム処理またはセレクティング処理に入る前に、ＲＡＭ３４１、ＲＡＭ３４２、ＲＡＭ３４４のアドレスＡＤ、コマンドＣＭ１、一次サムチェックコードＰＳを他のＲＡＭに移すようにしているが、移すことなく、当該ＲＡＭ３４１、ＲＡＭ３４２、ＲＡＭ３４４の内容（アドレスＡＤ、コマンドＣＭ１、一次サムチェックコードＰＳ）をシステム処理やセレクティング処理において、そのまま使用するようにしてもよい。
【０２６０】
なお、上記実施例では、ポイントポーリングにおいて伝送異常を検出するようにしているが、ポイントポーリングに限らず、システムポーリングやセレクティングにおいても、上記と同様に、伝送異常を検出するようにしてもよい。
【０２６１】
また、上記実施例では、二次サムチェックコードと二次演算結果コードとを算出する場合、一次サムチェックコードＰＳを使用しているが、一次サムチェックコードＰＳを使用せずに演算を行い、二次サムチェックコードと二次演算結果コードとを算出するようにしてもよい。
【０２６２】
なお、上記実施例では、２つの火災感知器から同時に２つの返送データとニ次サムチェックコードとが送出され、一方の返送データを構成するアクティブビットと他方の返送データを構成する非アクティブビットとがそれらの火災感知器から同じタイミングで送出された場合に、火災受信機において一方の返送データを構成するアクティブビットのみが優先的に検出されるような構成を採用するようにしてもよい。
【０２６３】
図２４は、本発明の他の実施例における端末装置の一例としての光電式火災感知器Ｓａを示すブロック図である。
【０２６４】
図２５は、本発明の他の実施例における火災受信機ＲＥａの一例を示すブロック図である。
【０２６５】
光電式火災感知器Ｓａ内において、信号送受信部ＴＲＸ２に接続されるＩＦ２３と信号送受信部ＴＲＸ２との間に、返送データとニ次サムチェックコードとを送出する際にのみ動作する信号反転手段として、信号反転回路ＳＩＣ１が設けられ、一方、火災受信機ＲＥａ内において、信号送受信部ＴＲＸ１に接続されているＩＦ１３と信号送受信部ＴＲＸ１との間に、端末装置フィールドにおいてのみ動作する信号反転手段として、信号反転回路ＳＩＣ２が設けられている。信号反転回路ＳＩＣ２は、アクティブビットを非アクティブビットに変換し、非アクティブビットをアクティブビットに変換する回路である。
【０２６６】
その他の条件は、従来例における条件と同様であるとする。つまり、アクティブビットは、信号送受信部ＴＲＸ１で信号線Ｌ上ロー信号となるように変換され、非アクティブビットは、信号送受信部ＴＲＸ１で信号線Ｌ上ハイ信号となるように変換され、また逆に、信号線Ｌ上のロー信号は、信号送受信部ＴＲＸ１でアクティブビットとなるように変換され、信号線Ｌ上のハイ信号は、信号送受信部ＴＲＸ１で非アクティブビットとなるように変換される。また、信号線Ｌ上ロー信号とハイ信号とが重複した場合には、ハイ信号になる。
【０２６７】
上記のように信号反転回路ＳＩＣ２を設けたので、複数の火災感知器からアクティブビットと非アクティブビットとが同じタイミングで送出された場合には、火災受信機はアクティブビットを受信する。
【０２６８】
次に、上記実施例のポイントポーリングとポイント処理とについて、具体的に数値を用いて説明する（主にＳ４０１〜Ｓ４２６、Ｕ４〜Ｕ１２、Ｕ１０１〜Ｕ１１３）。
【０２６９】
火災感知器Ｓａが火災を検出している場合、当該火災感知器ＳａのＭＰＵ２が、状態情報Ｄ１として０１ｈを送出し、火災を検出していない場合、当該火災感知器ＳａのＭＰＵ２は、状態情報Ｄ１として００ｈを送出するものとする。
【０２７０】
ここで、火災感知器Ｄ１１とＤ２２とが火災感知器Ｓａで構成され、火災感知器Ｄ１１とＤ２２とに同一アドレス１が付されており、火災感知器Ｄ１１は火災を検出しており、火災感知器Ｄ２２は火災を検出していないものとする。
【０２７１】
また、アドレスＡＤ、コマンドＣＭ１、コマンドＣＭ２、一次サムチェックコードＰＳがそれぞれ２桁の１６進数でＦＦｈ、０１ｈ、００ｈ、００ｈ（８ビットの２進数で表示すると、それぞれ１１１１１１１１、０００００００１、００００００００、００００００００）で示されるコードが、火災受信機ＲＥａから送出されたとする。
【０２７２】
また、火災感知器Ｄ１１のＭＰＵ２ａは、火災である旨の返送データＤ１ａとして０１ｈ（８ビットの２進数で表示すると、０００００００１）を送出し、また、二次サムチェックコードＳＳ１ａとして０１ｈを送出する。
【０２７３】
一方、火災感知器Ｄ２２のＭＰＵ２ｂは非火災である旨の返送データＤ１ｂとして００ｈ（８ビットの２進数で表示すると００００００００）を送出し、また、二次サムチェックコードＳＳ１ｂとして００ｈを送出する。
【０２７４】
上記の場合、アクティブビットと非アクティブビットとが同時に信号線Ｌに送出されると（信号が衝突すると）、火災受信機ＲＥａがアクティブビットのみを受信するような構成であるので、返送データとして０１ｈと、二次サムチェックコードとして０１ｈとを火災受信機ＲＥａが受け取り、火災受信機ＲＥａは、アドレスが１である火災感知器が火災を検出していると認識する。
【０２７５】
図２６は、上記実施例において、２つの火災感知器Ｄ１１、Ｄ２２からの信号と、信号線Ｌ上の信号とについて示す図である。
【０２７６】
ところで、従来の防災設備において、互いに同一のアドレスが２つの端末装置に誤って付与されていた場合、そのいずれか一方の端末機器が火災情報を発生し、他方の端末機器が火災情報を発生しないと、火災情報が火災受信機に伝送されないという問題があり、また、伝送の異常も検出されないという問題がある。
【０２７７】
この従来例の問題を解決するために、上記実施例においては、独自のサムチェックの計算を行っており、この独自のサムチェックの計算方法について、以下に、具体的に説明する。
【０２７８】
まず、サムチェックを計算する場合、信号線Ｌに送出する各コード中のアクティブビットの数をカウントし、このカウント値を反転し、この反転値の最上位ビットを削除した値を使用する。なお、アクティブビットの最大値は、セレクティングの場合、８×４＋８×３＝５６ビットである。
【０２７９】
たとえば、アドレスＡＤ＝ＦＦｈ、コマンドＣＭ１＝０１ｈ、コマンドＣＭ２＝０３ｈ、返送データＤ１＝０７ｈである場合、
アドレスＡＤ＝ＦＦｈを２進数で示すと、「１１１１１１１１」であり、このアクティブビット数は、８個であり、このアクティブビット数を１６進数で示すと８ｈになる。コマンドＣＭ１＝０１ｈを２進数で示すと、「０００００００１」であり、このアクティブビット数は、１個であり、このアクティブビット数を１６進数で示すと１ｈになる。コマンドＣＭ２＝０３ｈを２進数で示すと、「００００００１１」であり、このアクティブビット数は、２個であり、このアクティブビット数を１６進数で示すと２ｈになる。
【０２８０】
そして、上記アドレスＡＤ、コマンドＣＭ１、ＣＭ２における各アクティブビット数８ｈ、１ｈ、２ｈを加算すると、８ｈ＋１ｈ＋２ｈ＝０Ｂｈになる。この０Ｂｈを２進数で示すと「００００１０１１」になり、これを反転すると、「１１１１０１００」になり、これを１６進数で表現すると、Ｆ４ｈになる。そして、このＦ４ｈを２進数で示した「１１１１０１００」の最上位ビットを削除し、「０１１１０１００」を得、これを１６進数で示した７４ｈが一次サムチェックコードＰＳである。
【０２８１】
なお、上記Ｆ４ｈを２進数で示した「１１１１０１００」の最上位ビットを削除するには、Ｆ４ｈ（２進数で示すと「１１１１０１００」）と７Ｆｈ（２進数で示すと「０１１１１１１１」）とを論理積演算すればよい。
【０２８２】
上記一次サムチェックコードＰＳである７４ｈを２進数で示すと、「０１１１０１００」であり、このアクティブビットの数は、４個であり、このアクティブビットの数を１６進数で示すと４ｈになる。
【０２８３】
一方、返送データＤ１＝０７ｈを２進数で示すと、「０００００１１１」であり、このアクティブビット数は、３個であり、このアクティブビット数を１６進数で示すと３ｈになる。
【０２８４】
そして、上記アドレスＡＤ、コマンドＣＭ１、ＣＭ２、一次サムチェックコードＰＳ、返送データＤ１における各アクティブビット数８ｈ、１ｈ、２ｈ、４ｈ、３ｈを加算すると、８ｈ＋１ｈ＋２ｈ＋４ｈ＋３ｈ＝１２ｈになる。この上記アドレスＡＤ、コマンドＣＭ１、ＣＭ２、一次サムチェックコードＰＳ、返送データＤ１における各アクティブビット数の加算値１２ｈを２進数で示すと「０００１００１０」であり、これを反転すると、「１１１０１１０１」になり、これを１６進数で示すと、ＥＤｈになり、このＥＤｈを２進数で示した「１１１０１１０１」の最上位ビットを削除し、「０１１０１１０１」を得、これを１６進数で示した６Ｄｈが二次サムチェックコードＳＳである。
【０２８５】
つまり、上記実施例において、火災受信機ＲＥは、端末装置に伝送すべきアドレスコードと命令コードとにおけるアクティブビット数を、各コード毎にカウントする第１のアクティブビット数カウント手段と、第１のアクティブビット数カウント手段によってカウントされたアクティブビット数を加算してアクティブビット数の加算値を得る第１のアクティブビット数加算手段と、第１のアクティブビット数加算手段によって得られたアクティブビット数の加算値を反転させて反転値を得る第１の反転手段と、第１の反転手段によって反転された反転値の最上位ビットを削除した１次加算コードを作成する１次加算コード作成手段と、アドレスコードと命令コードと１次加算コードとを送出する第１の送出手段とを有する。
【０２８６】
また、上記実施例において、端末装置は、火災受信機から受信したアドレスコードと命令コードとにおけるアクティブビット数を、各コード毎にカウントする第２のアクティブビット数カウント手段と、第２のアクティブビット数カウント手段によってカウントされたアクティブビット数を加算したアクティブビット数の加算値を得る第２のアクティブビット数加算手段と、第２のアクティブビット数加算手段によって得られた加算値を反転させた反転値を得る第２の反転手段と、第２の反転手段によって反転された反転値の最上位ビットを削除した第１加算コードを作成する第１加算コード作成手段と、第１加算コードと、火災受信機から受信した１次加算コードとが一致していることを判別する第１の判別手段と、第１加算コードと１次加算コードとが一致したときに、火災受信機に返送する返送データと、火災受信機から受信したアドレスコードと、命令コードとのアクティブビット数を、各コード毎にカウントする第３のアクティブビット数カウント手段と、第３のアクティブビット数カウント手段によってカウントされたアクティブビット数を加算した加算値を得る第３のアクティブビット数加算手段と、第３のアクティブビット数加算手段によって得られた加算値を反転させ反転値を得る第３の反転手段と、第３の反転手段による反転値の最上位ビットを削除した２次加算コードを作成する２次加算コード作成手段と、返送データと２次加算コードとを火災受信機に送出する第２の送出手段とを有する。
【０２８７】
さらに、上記実施例における火災受信機ＲＥは、端末装置から受信した返送データと、端末装置に伝送すべきアドレスコードと、命令コードとの各アクティブビット数を、各コード毎にカウントする第４のアクティブビット数カウント手段と、第４のアクティブビット数カウント手段によってカウントされた各アクティブビット数を加算した加算値を得る第４のアクティブビット数の加算手段と、第４のアクティブビット数の加算手段によって得られた加算値を反転して反転値を得る第４の反転手段と、第４の反転手段によって得られた反転値の最上位ビットを削除し、第２加算コードを作成する第２加算コード作成手段と、第２加算コードと、端末装置から受信した２次加算コードとが一致しているか否かを判別する第２の判別手段とを有する。
【０２８８】
なお、上記実施例において、第３のアクティブビット数カウント手段は、１次加算コードのアクティブビット数をもカウントする手段であり、また、第４のアクティブビット数カウント手段は、１次加算コードのアクティブビット数をもカウントする手段であってもよい。
【０２８９】
上記実施例によれば、防災設備において、互いに同一のアドレスが複数の端末装置に付与されていた場合に、火災情報が発生すると、火災情報を火災受信機に確実に伝送することができ、また、伝送異常を確実に検出することができる。
【０２９０】
なお、一次サムチェックコードＰＳは、上記１次加算コードの例であり、ニ次サムチェックコードＳＳは、上記２次加算コードの例であり、一次演算コードＳＣ１は、上記第１加算コードの例であり、二次演算コードＳＣ２は、上記第２加算コードの例である。
【０２９１】
なお、上記各実施例において、端末装置の一例として、光電式火災感知器Ｓａを示したが、熱式、炎式、ガス式、臭い式の火災感知器にも適用でき、またオンオフ式火災感知器を接続した中継器にも適用できる。
【０２９２】
また、上記実施例において、信号送受信部ＴＲＸ１、ＴＲＸ２内に信号反転回路を設けるようにしてもよい。
【０２９３】
さらに、上記実施例において、火災受信機の代わりに、中継器等の他の受信部を使用してもよい。
【０２９４】
本発明によれば、防災設備において、互いに同一のアドレスが複数の端末装置に付与されていた場合に、火災情報が発生すると、火災情報を火災受信機等の受信部に確実に伝送することができ、また、伝送異常を確実に検出することができるという効果を奏する。
【図面の簡単な説明】
【図１】本発明の一実施例である防災設備１００を示す系統図である。
【図２】上記実施例における端末装置のアドレスを８ビット構成のコードで示す図であり、図２（１）、（２）は、それぞれ、１０進数の１０番目、２５５番目の端末装置のアドレスを、８ビットの２進数コードで示す図である。
【図３】上記実施例の動作を示すタイムチャートである。
【図４】上記実施例において、３台の発信機ＰA 、ＰB 、ＰC が同時に応答信号を送出しようとした場合（発報を知らせるために自己アドレスを同時に送出しようとした場合）の動作を示すタイムチャートである。
【図５】上記実施例において使用されている火災受信機ＲＥの一例を示すブロック図である。
【図６】上記実施例における端末装置の一例としてのアナログ式光電式火災感知器Ｓを示すブロック図である。
【図７】上記実施例における端末装置の一例としての中継器ＲＰを示すブロック図である。
【図８】上記実施例における発信機Ｐを示すブロック図である。
【図９】上記実施例において、火災受信機ＲＥの動作を示すシステムフローチャートである。
【図１０】図９におけるポイント・ポーリング（Ｓ４）の動作を具体的に示すフローチャートである。
【図１１】図９におけるポイント・ポーリング（Ｓ４）の動作を具体的に示すフローチャートである。
【図１２】図９におけるポイント・ポーリング（Ｓ４）の動作を具体的に示すフローチャートである。
【図１３】上記実施例において、操作部ＯＰからシステムポーリングを行う旨の命令をオペレータが火災受信機ＲＥに入力した場合（Ｓ５）の具体例を示すフローチャートである。
【図１４】上記実施例において、操作部ＯＰからセレクティングを行う旨の命令を、オペレータが火災受信機ＲＥに入力した場合（Ｓ６）における具体例を示すフローチャートである。
【図１５】上記実施例において、操作部ＯＰからセレクティングを行う旨の命令を、オペレータが火災受信機ＲＥに入力した場合（Ｓ６）における具体例を示すフローチャートである。
【図１６】上記実施例における端末装置の一例としての中継器ＲＰのメインフローチャートを示す図である。
【図１７】上記実施例において、中継器ＲＰにおけるポイント処理の動作を示すフローチャートである。
【図１８】上記実施例において、端末装置の一例としての発信機Ｐにおけるポイント処理の動作を示すフローチャートである。
【図１９】上記実施例において、端末装置の一例としての発信機Ｐにおけるポイント処理の動作を示すフローチャートである。
【図２０】上記実施例において、端末装置の一例としての中継器ＲＰのシステム処理の動作（Ｕ１３）を示すフローチャートである。
【図２１】上記実施例において、端末装置の一例としての中継器ＲＰにおけるセレクティング処理の具体的な動作（Ｕ１４）を示すフローチャートである。
【図２２】上記実施例において、端末装置の一例としての中継器ＲＰにおけるセレクティング処理の具体的な動作（Ｕ１４）を示すフローチャートである。
【図２３】上記実施例において、スロット幅の設定例を示す図である。
【図２４】本発明の他の実施例における端末装置の一例としての光電式火災感知器Ｓａを示すブロック図である。
【図２５】本発明の他の実施例における火災受信機ＲＥａを示すブロック図である。
【図２６】上記実施例において、２つの火災感知器Ｄ１１、Ｄ２２からの信号と、信号線Ｌ上の信号とについて示す図である。
【符号の説明】
ＲＥ…受信部としての火災受信機、
Ｓ…アナログ式火災感知器、
ＲＰ…中継器、
Ｂ…地区音響装置（地区ベル）、
Ｇ…ガス漏れ検出器、
Ｄ…被制御機器としての防火戸、
Ｆ…オンオフ式火災感知器、
Ｐ…発信機、
ＰＣ…発信機呼出パルス、
ＰＳ…一次サムチェックコード、
ＳＳ…ニ次サムチェックコード、
ＳＩＣ１…信号反転回路、
ＳＩＣ２…信号反転回路。
【図１】
0003838594.tif 000002
【図２】
0003838594.tif 000003
【図３】
0003838594.tif 000004
【図４】
0003838594.tif 000005
【図５】
0003838594.tif 000006
【図６】
0003838594.tif 000007
【図７】
0003838594.tif 000008
【図８】
0003838594.tif 000009
【図９】
0003838594.tif 000010
【図１０】
0003838594.tif 000011
【図１１】
0003838594.tif 000012
【図１２】
0003838594.tif 000013
【図１３】
0003838594.tif 000014
【図１４】
0003838594.tif 000015
【図１５】
0003838594.tif 000016
【図１６】
0003838594.tif 000017
【図１７】
0003838594.tif 000018
【図１８】
0003838594.tif 000019
【図１９】
0003838594.tif 000020
【図２０】
0003838594.tif 000021
【図２１】
0003838594.tif 000022
【図２２】
0003838594.tif 000023
【図２３】
0003838594.tif 000024
【図２４】
0003838594.tif 000025
【図２５】
0003838594.tif 000026
【図２６】
0003838594.tif 000027